(57)【特許請求の範囲】
【請求項１】
開いたり閉じたりできる複数の支持脚部と、上記支持脚部の上端部に上記複数の支持脚部を軸支するように設けられた複数の載置台と、上記複数の載置台のそれぞれに回転可能に軸支された複数の回転アームと、上記回転アームで支持されて袋状に拡げられたり、たたまれたりする収納袋と、作業時に発生するゴミを集めるため上記収納袋が拡げられた時に垂れ下がることとなる底部に設けられ、上記収納袋の展開・拡張に伴い、開口が現れてくる収納容器部と、を有することを特徴とする作業台。
【請求項２】
前記載置台には、被処理材の移動を規制する載置台凹部が設けられ、その載置台凹部は、前記収納袋が拡げられた時に前記収納袋で囲まれる空間内に配置されていることを特徴とする請求項１記載の作業台。
【請求項３】
前記載置台は２つ設けられ、各載置台の両端に各１つの前記アームが設けられ、各アームは、前記載置台を中心として回転可能かつ任意の位置で停止可能に設けられていることを特徴とする請求項１または２記載の作業台。
【発明の詳細な説明】
【技術分野】
【０００１】
本発明は、作業台に関し、特にスポーツ用具等のワックス塗布を必要とするものにワックスがけをするための作業台として好適なものである。
【背景技術】
【０００２】
近年、雪上のスポーツは多様化し、従来のスキーに加えてスノーボードやスノーモービルなどが若者に人気を博してきている。特に、スノーボードは、急激にその愛好者人口が拡大しつつある。【０００３】
このように、愛好者の急激な増加に伴って種々の用具も市販されるようになってきているが、スキーに比べれば、歴史も浅いことから、愛好者が要望する用具が完全に整ってきているとは言い難い状況下にある。【０００４】
例えば、従来、スキーやスノーボード等へワックス等を塗布する場合、屋外で脚立状の台上に枠組みされて設けられた載置台を作業台にして、それに乗せてワックス等を塗布し、この塗布したワックスの余分なワックスをプラスチック製の板状の用具等で削り取っている。この削り取ったワックスの滓は、厚みがごく薄い薄片状を呈している。このため、削り取ったワックスの滓は飛散し易く、またふわふわしていて、床や他の道具等に付着し易いので、収集が極めて困難であり、したがって清掃・除去に大変な時間や労力を要している。【０００５】
また、スノーボードの整備台としては、種々なものが知られている（特許文献１、２参照）。特許文献１には、スノーボード整備台が開示されている。これは、スノーボードの整備に際してスノーボードを固定する構造に関するものであって、その中にワックスの滓や、スノーボードのエッジを研いだ際に出る削り滓を受け止めて、周囲を汚すのを防止するトレーを整備台側方に設けることが開示されている。【０００６】
さらに、特許文献２には、基体と、前脚部及び後脚部を折り畳み自在になるように設け、前脚部及び後脚部にはスノーボード等を載置できる設置用取っ手を設けることが開示されている。【０００７】
【特許文献１】登録実用新案第３０２７９５２号公報（要約書）
【特許文献２】特開平９−３０８７２４号公報（要約書）
【発明の開示】
【発明が解決しようとする課題】
【０００８】
しかしながら、特許文献１に記載されているトレーについては、具体的な記載はなく、そのトレーを用いて、上述のワックスの滓や、エッジの削り滓をどのように除去するのか不明である。【０００９】
また、特許文献２には、上述のワックスの滓や、エッジの削り滓を収集・除去する装置の記載は全くない。したがって、この装置では、作業を行った後の作業場所周囲は汚染されたままである。【００１０】
本発明は、上述のような問題を解決し、ワックス滓等の作業時のゴミが飛散することなく、簡単に収集できるとともに、容易に掃除ができ、作業場所及びその周辺を清潔に保つことができる作業台を提供することを目的とする。
【課題を解決するための手段】
【００１１】
本発明の作業台は、開いたり閉じたりできる複数の支持脚部と、支持脚部の上端部に複数の支持脚部を軸支するように設けられた複数の載置台と、複数の載置台のそれぞれに回転可能に軸支された複数の回転アームと、回転アームで支持されて袋状に拡げられたり、たたまれたりする収納袋と、作業時に発生するゴミを集めるため収納袋が拡げられた時に垂れ下がることとなる底部に設けられ、収納袋の展開・拡張に伴い、開口が現れてくる収納容器部と、を有することを特徴としている。この発明によれば、ワックス滓等の作業時のゴミが飛散することなく、簡単に収集できることとなる。
【００１２】
本発明の作業台の載置台には、被処理材の移動を規制する載置台凹部が設けられ、その載置台凹部は、収納袋が拡げられた時にその収納袋で囲まれる空間内に配置されているのが好ましい。この構成を採用すると、載置台凹部に被処理材を入れて作業をすることができるので、被処理材のエッジの研磨やワックスの塗布若しくは除去などの手入れ作業がしやすくなる。
【００１３】
さらに、本発明の作業台の載置台は２つ設けられ、各載置台の両端に各１つのアームが設けられ、各アームは、載置台を中心として回転可能かつ任意の位置で停止可能に設けられているのがこのましい。この構成を採用すると、被処理材を固定しての作業が可能となり、作業が極めて容易となる。
【００１４】
また、被処理材止め具としては、吸着部材を採用するのが好ましい。吸着部材を採用すると、極めて容易に被処理材を固定することが可能となる。【００１５】
さらにまた、支持脚部の接地側にバランス調節部が設けるのが好ましい。この構成を採用すると、バランスが良い作業台を容易に得ることができる。【００１６】
また、支持脚部の開脚部には、過剰開脚防止装置が設けられるのが好ましい。この構成を採用すると、作業時に強くて大きな力が加わった場合も、作業台の支持脚部が広がって作業が困難になるという危険は低減される。【００１７】
さらに、支持脚部は、支持脚部の嵌め込み端部と載置台に設けられた嵌め込み受部とで載置台と分離・合体できるよう構成されているのが好ましい。この構成を採用すると、作業を行わないときは、作業台を小さくして保管ができ、省スペース化が達成される。【００１８】
またさらに、支持脚部には、取り付け取り外し可能に道具袋が設けられているのが好ましい。この構成を採用すると、道具の紛失が防止されると共に、ワックス除去等の作業がスムーズとなる。【００１９】
また、支持脚部の接地面には、取り付け取り外し可能に吸着部材が設けられているのが好ましい。この構成を採用すると、支持脚部の固定が容易となる。【００２０】
さらに、支持脚部の脚開閉軸部には、道具類を係止する係止部材が設けられているのが好ましい。この構成を採用すると、道具の紛失が防止されると共に、ワックス除去等の作業がスムーズとなる。【００２１】
さらにまた、収納容器部は、筒状の収集管部と収集管部に嵌合される有底筒状の収集受部とからなることが好ましい。このように構成すると、ワックスの削り滓等のゴミが収集受部に集まり易くなり、ゴミの収集がより簡単となる。
【００２２】
また、収集受部は、使い捨て可能な袋状であるのが好ましい。このようにすると、収集されたゴミの処理が容易となる。【００２３】
さらに、収納袋には、収納袋の長さを調節する調節用折り返し部が取り付け、取り外し可能に設けられているのが好ましい。この構成を採用すると、容易に適切な大きさの収納袋とすることができる。【００２４】
またさらに、収納袋は、支持脚部が通過する脚穴部に設けられた収納袋固定リングで支持脚部に固定されているのが好ましい。このようにすると、収納袋の固定が容易かつ確実に行われることとなる。
【発明の効果】
【００２５】
本発明によれば、ワックスの滓等の作業時に発生するゴミが、作業台外に飛散することがない。さらに、それらのゴミを容易に収集・収納できるので、作業場所を汚すこともなく、ゴミを回収するとともに簡単に掃除ができる。
【図面の簡単な説明】
【００２６】
【図１】本発明の第１の実施の形態に係るス作業台の作業状態の斜視図である。
【図２】図１に示す作業台の側面図である。
【図３】図１に示す作業台に使用される過剰開脚防止装置の他の例を示す斜視図である。
【図４】図１の作業台を示す図で、（Ａ）は、作業状態における平面図で、（Ｂ）は、たるみ防止部材を説明するための部分拡大平面図で、（Ｃ）は、作業時のたるみ防止材を説明するための側面図である。
【図５】本発明の第２の実施の形態に係る作業台を示す図で、（Ａ）は、作業台の部分斜視図で、（Ｂ）は、作業台に用いられる載置台の側面図である。
【図６】本発明の第２の実施の形態に係る作業台第１の変形例を説明する図で、（Ａ）は、載置台の部分側面図で、（Ｂ）は、載置台に用いられるスペーサの部分斜視図である。
【図７】本発明の第２の実施の形態に係る作業台の第２の変形例を示す図で、（Ａ）は、載置台の斜視図で、（Ｂ）は、載置台の側面図である。
【図８】本発明の第２の実施の形態に係る作業台の第３の変形例を示す図で、（Ａ）は、載置台の平面図で、（Ｂ）は、載置台の断面図である。
【図９】本発明の第２の実施の形態に係る作業台の第４の変形例を示す図で、（Ａ）は、載置台の斜視図で、（Ｂ）は、載置台の側面図である。
【図１０】図９の第４の変形例のさらなる変形例となる第５の変形例としての載置台を示す図で、（Ａ）は、部分側面図で、（Ｂ）は、（Ａ）の変更例を示す部分側面図で、（Ｃ）は、載置台に用いられる巻き付け型吸着部材の側面図で、（Ｄ）は、（Ｃ）の他の例を示す側面図である。
【図１１】本発明の第２の実施の形態に係る作業台の第６の変形例を示す図で、（Ａ）は、載置台の斜視図で、（Ｂ）は、その使用状態を示す側面図である。
【図１２】本発明の第２の実施の形態に係る作業台の第７の変形例を示す図で、（Ａ）は、載置台の側面図で、（Ｂ）は、載置台の部分斜視図である。
【図１３】本発明の第２の実施の形態に係る作業台の第８の変形例を示す図で、（Ａ）は、載置台の斜視図で、（Ｂ）は、載置台の側面図である。
【図１４】本発明の第３の実施の形態に係る作業台を示す部分斜視図である。
【図１５】図１４に示す作業台に用いられるバイス型保持装置を示す図で、（Ａ）は、巻き付け型吸着部材の使用例を示す側面図で、（Ｂ）は、巻き付け型吸着部材の側面図で、（Ｃ）は、短足型吸着部材を用いた例を示す断面図である。
【図１６】本発明の第４の実施の形態に係る作業台の作業状態を示す斜視図である。
【図１７】図１６に示す作業台の載置台位置調節部を説明する図で、（Ａ）は、部分斜視図で、（Ｂ）は、部分側面図である。
【図１８】本発明の第５の実施の形態に係る作業台を示す図で、（Ａ）は、作業状態を示す平面図で、（Ｂ）は、回転軸部の拡大部分平面図で、（Ｃ）は、（Ｂ）のＸ−Ｘ’での断面図である。
【図１９】各実施の形態に用いられる支持脚部の第１変形例を示す図で、（Ａ）は、部分側面図で、（Ｂ）は、支持脚部に設けられる道具袋の斜視図である。
【図２０】各実施の形態に用いられる支持脚部の第２変形例を示す側面図である。
【図２１】各実施の形態に用いられる支持脚部の第３変形例を示す図で、（Ａ）は、部分斜視図で、（Ｂ）は、第３変形例のさらなる変更例を示す部分斜視図である。
【図２２】図１等に示す作業台に用いられる収納袋の他の３つの例を示す図で、（Ａ）は、折り返し部が収納袋に取り付けられている第１の例を示す部分平面図で、（Ｂ）は、折り返し部が収納袋に取り付けられている第２の例を示す部分平面図で、（Ｃ）は、折り返し部が収納袋に取り付けられている第３の例を示す平面図である。
【図２３】図１等に示す作業台に用いられる収納袋に設けられる折り返し部のさらに他の例を示す部分平面図である。
【図２４】図１等に示す作業台に用いられる折り返し部のついた収納袋の平面図で、（Ａ）は、複数の折り返し部が設けられている例を示す平面図で、（Ｂ）、（Ｃ）は、それぞれ取り換え可能な調節用折り返し部の平面図を示し、（Ｄ）は、収納袋の一部を取り換え可能とした部分平面図である。
【図２５】図１等に示す作業台に用いられる、折り返し部のついた収納袋に切れ目を入れ、固定具で結合した様子を示す部分平面図である。
【図２６】図１等に示す作業台に用いられる、複数の対となっている脚穴部が設けられている収納袋の平面図である。
【図２７】図１等に示す作業台の回転アームに設けられた補助載置部を示す部分平面図である。
【図２８】図１等に示す作業台の回転アームに設けられた補助載置部の他の例を示す図で、（Ａ）は、部分平面図で、（Ｂ）は、道具かけ部材を示す斜視図である。
【図２９】図１等に示す作業台に用いられるバランス調節部と位置調節部の他の例を示す図で、（Ａ）は、バランス調節部と位置調節部を示す斜視図で、（Ｂ）は、（Ａ）のＸ−Ｘ’での断面図である。
【図３０】図１等に示す作業台に用いられるバランス調節部と位置調節部のさらに他の例を示す断面図で、（Ａ）は、球状バランス調節部を用いた例を示す断面図で、（Ｂ）は、吸着部材を設けた他の例を示す断面図である。
【図３１】図１等に示す作業台に用いられる固定リングを示す図で、（Ａ）は、固定リングの斜視図で、（Ｂ）は、（Ａ）のＸ−Ｘ’での断面図である。
【図３２】図１等に示す作業台に用いられる収納容器部の３つの例を示す図で、（Ａ）は、第１の例で、組みつけられた様子を示す斜視断面図で、（Ｂ）は、第２の例で、取換え用ゴミ袋を装着した様子を示す断面図で、（Ｃ）は、第３の例の収納容器部の収集受け部を示す斜視図で、（Ｄ）は、第３の例の収納容器部の収集管部を示す斜視図である。
【図３３】図１等に示す作業台に用いられる収納容器部の第１変形例で、（Ａ）は、部分斜視図で、（Ｂ）は、（Ａ）の側面図である。
【図３４】本発明の第６の実施の形態に係る作業台を示す図で、（Ａ）は、第４変形例となる支持脚部の開脚時の斜視図で、（Ｂ）は、支持脚部を構成する一本の支持脚を示す斜視図で、（Ｃ）は、折りたたみの中間の様子を示す側面図で、（Ｄ）は、折りたたみ完了時の様子を示す側面図である。
【図３５】図１等に示す作業台に用いられる支持脚部の第５変形例で、支持脚部の側面図である。
【図３６】本発明における第７の実施の形態に係る作業台を示す図で、（Ａ）は、平面図で、（Ｂ）は、第６変形例となる支持脚部の部分斜視図である。
【図３７】本発明の第８の実施の形態に係る作業台を示す図で、（Ａ）は、載置台と第７変形例となる支持脚部の分解・組み立てを示す図で、（Ｂ）は、支持脚部の折りたたみを示す平面図である。
【図３８】本発明の第９の実施の形態に係る作業台を示す側面図である。
【図３９】本発明の第１０の実施の形態に係る作業台を示す図で、（Ａ）は、斜視図で、（Ｂ）は、側面図で、（Ｃ）は、裏側から見た平面図で、（Ｄ）は、取り換え可能な回転アームの斜視図である。
【図４０】本発明の第１１の実施の形態に係る作業台を示す図で、（Ａ）は、斜視図で、（Ｂ）は、折りたたんだときの側面図で、（Ｃ）は、折りたたみ式収納箱の折りたたんだ側面図である。
【図４１】本発明の第１２の実施の形態に係る作業台を示す側面図である。
【図４２】本発明の第１３の実施の形態に係る作業台を示す図で、（Ａ）は、側面図で、（Ｂ）は、（Ａ）に用いられる収納袋の平面図である。
【図４３】本発明の第１４の実施の形態に係る作業台を示す図で、（Ａ）は、側面図で、（Ｂ）は、他の例を示す側面図である。
【符号の説明】
【００２７】
１、１Ａ〜１Ｎ  作業台
１ａ  収納袋
２  収納容器部
２ａ  収集管部
２ｂ  収集受部
３、３Ａ〜３Ｈ  載置台
３ａ２  載置台凹部
３ｄ  吸着部材
４  回転アーム
５、５Ａ〜５Ｈ、５Ｊ  支持脚部
８  過剰開脚防止装置
９  バランス調節部
１２  脚穴部
１３  固定リング
２０  被処理材（スノーボード）
９０ａ  嵌め込み端部
９０ｂ  嵌め込み受部
１００  折り返し部
１００ａ〜１００ｄ  調節用折り返し部
【発明を実施するための最良の形態】
【００２８】
本発明の実施の形態について、以下図を用いて説明する。【００２９】
図１は、本発明の第１の実施の形態に係るワックス塗布作業台としての作業台１を示す斜視図である。作業台１は、収納袋１ａと、収納袋１ａの底部１ｂに設けられた収納容器部２と、収納袋１ａを支持する回転アーム４を回転軸部７で軸支する載置台３と、回転軸部７で回転アーム４と共に一方の端部が軸支されかつ載置台３を所定の高さに保持する支持脚部５と、支持脚部５の他方の端部すなわち接地側端部の位置調節部１０と連結して設けられたバランス調節部９とから主に構成されている。【００３０】
作業台１は、例えば、図示を省略したスキー板またはスノーボード板等のワックス塗布を行うもの（以下「被処理材」という）を載置台に載せる。スキー板やスノーボード板の様に長いものの場合は、複数の載置台３に橋渡しするように載せる。スキー板やスノーボード板のように滑走面を有する被処理材は、滑走面を上向きにして載置台３に載置する。この滑走面にワックス等をスプレーまたは刷毛等で塗布するが、その塗布したワックスの塗布面は、必要とする平滑な面が確実に得られることは少ない。したがって、その塗布面を平滑にするために、ブラシやスクレイパーや水平で平滑な端面を有する薄い板状の樹脂板または金属板（図示せず）で、ワックスを削り取って平滑にする作業が行われる。【００３１】
作業台１の主要部分をなす収納袋１ａは、ほぼ中央部に収納容器部２を有している。収納袋１ａの長手方向すなわち図１の横方向の両端部の各隅部に、回転アーム保持部材４ａが各回転アーム４の先端部と嵌合するように、設けられている。収納袋１ａの短手方向内、すなわち収納袋１ａの幅内には、被処理材が直接載置される２本の載置台３と、載置台３の両端に軸支される複数の回転アーム４と、載置台３が回転アーム４を支持する支持脚部５とが収納袋１ａよりはみ出さないように配置されている。支持脚部５が開脚され、さらに回転アーム４が、外側水平方向に回転されると、収納袋１ａは、図１および後述の図２、図４（Ｃ）に示すように、展開・拡張した袋状の形態となる。収納袋１ａの展開・拡張に伴い、収納袋１ａの中央部に収納容器部２の開口２ｄが現れてくるようになっている。【００３２】
さらに、収納袋１ａは、図１の状態で、垂れ下がった底部１ｂと、底部１ｂの両側に配置される２つの側面部１ｃ、１ｃとで構成されている。収納袋１ａは、その内面が滑らかであることが必要である。すなわち、プラスチックスのシートで袋状に形成するか、または布製の場合は、内側に例えばゴムやプラスチックスを平滑に貼附または塗布したもので袋状に形成する。【００３３】
また、収納袋１aの両端部や折曲げされたコーナーに相当する部分は、図示しないが破損防止の縁取りがしてある。この縁取りは、各コーナー部分を折り返して二重にしても良いし、また紐状のものを収納袋１aのシートで巻き込んだり、他のシート状の部材で収納袋１aに貼付をしたりして、縁取り補強をしても良い。収納袋１ａに設けられた収納容器部２は、削り取ったワックス滓を収集するための働きを有しており、収納袋１ａを破損させないように軽量で、かつ角張ったところのない、丸味を帯びた形状としておくと良い。また、軽量のプラスチックスまたは軽金属であっても薄肉の軽量で、内面は平滑な構造をしている方が望ましい。この収納容器部２は、収納袋１ａに対し取り外し可能（後述図示）に構成されている。【００３４】
載置台３は、被処理材が載置されても変形しないような強度を有する構造とされている。すなわち、例えばスノーボードのようなやや重量のあるものを載せたり、さらにそのスノーボードに力を加えて、滑走面を平滑に加工したりするときのかけられる圧力に耐えられる強度が必要となる。また、携帯運搬をして適宜使用することが多々あるので、軽金属や強化プラスチックスや木材等の軽量なものとするのが好ましい。載置台３の形状は、角に丸みをつけた角形を示したが、楕円形でも、丸形でも差し支えない。なお、載置台３の構造は、図示していないが、中実でも中空でもよい。特に、中空の筒状にしたものを用いると、より軽量化が図れて好ましい。【００３５】
また、載置台３には、防滑、防疵のためにゴムまたは軟質のプラスチックスや布等を巻くのが好ましい。図示しないが、防滑のためには、載置台３の表面の接触面積を大きくして、摩擦力を大きくすることが好ましい。しかし、ゴムや布等を巻き付ける場合、巻き付けた材料そのものの接触抵抗、あるいは変形による接触抵抗だけでは十分に安定載置ができにくい場合がある。このような場合は、載置台３の表面に小さなイボイボ状の突起を多数全面に設けたり、または小さな切り溝を設けたりして表面積を大きくすると良い。また、このように、イボイボや切り溝を設けると、ゴムや布等を巻き付けない場合、イボイボや切り溝の凹んだ部分に削り屑や塵埃が沈み込み、直接被処理材に接触してキズをつけたりすることも防止できるので、防疵にも役立つこととなる。【００３６】
回転アーム４は、載置台３に嵌合されているアーム回転軸部７を回転中心として、回転可能で、かつ任意の位置で回転停止が可能となっている。この構造は、公知の方法例えばラチェット機構が採用されている。この回転アーム４の先端部は、上述のように収納袋１ａの両端部の各隅部に設けられた回転アーム保持部材４ａに差し込まれて、収納袋１ａの開閉をする働きを有している。したがって、回転アーム４は、軽量でかつ収納袋１ａの開閉保持に耐えるだけの強度を有している木製、プラスチックス製あるいは軽金属製であることが好ましい。また、収納袋１ａの色調に制限はない。しかし、実用的には、削り滓が良く判別できるような濃い色調が好ましい。例えば、その色調には、黒色、濃赤色、濃紫色、濃青色などが挙げられる。【００３７】
支持脚部５は、上述の回転アーム４とともに、載置台３のそれぞれの両端に、支持脚部５の一端部がアーム回転軸部７で回転可能となるように軸支されている。また、この複数の支持脚部５の中央付近には、両端部側に比べ厚さが薄くなるようにされた脚開閉凹部５ａがそれぞれ設けられている。各々の支持脚部５は、この脚開閉凹部５ａが対向し重ね合わされた後、脚開閉軸部６によって回転可能に一体化されている。一体化された一対の支持脚部５，５は、開いたときはＸ字となり、閉じたときは一本の棒状となるように構成されている。すなわち、閉じたときの形状をコンパクトにすることができる。また、この一対の支持脚部５、５には、開きすぎないように過剰開脚防止装置８、例えばチェーンが、脚開閉軸部６より下方（他端側）に設けられた係留具８ａに引っ掛けられて係留されている。【００３８】
ワックス塗布作業に際しては、作業者の背の高さはまちまちであるので、作業者の背の高さに応じて載置台３の高さを調節可能なようにする必要がある。このため、支持脚部５の他端側（据付設置側）に位置調節部１０が位置調節（長さ調節）可能に設けられている。この位置調節部１０は、複数設けられた止めネジ穴部１１ａの一つに、止めネジ１１を挿入することで支持脚部５に固定されて、載置台３の高さが決められるようになっている。すなわち、図１で例示するように、支持脚部５の載置台３とは反対側となる他端側を筒状の位置調節部１０とし、この筒の中に、位置調節部材１０ａが挿入され、止めネジ１１で停止されて支持脚部５の長さが調節され、結果として載置台３の高さが調節される。【００３９】
しかし、この位置調節の方法は、これに限定されることはなく、公知の位置調節の構造が採用できる。また、筒状とした位置調節部１０に雌ネジを、位置調節部材１０ａに雄ネジを設けてもよいし、また、図示しないが、２枚の板を重ねるようにし、かつ位置をずらし止めて位置調節をする構造としても良い。【００４０】
支持脚部５の他端側には、バランス調節部９が配置される。このバランス調節部９は、位置調節部材１０ａにバランス調節連結部９ａで回転可能に接続されているものである。ワックスの平滑度は、雪上での滑走具合に微妙に利いてくる。特に、競技に際しては、このワックスの良否が成否を決めかねない重要な要素である。したがって、載置台３の確実な平行度を出すためには、バランス調節部９の微妙な位置調整が必要とされる。バランス調節部９の接地部となるバランス調節台座９ｂは、ネジを利用して高さ方向の位置の微調節がされるようにしても良い。なお、支持脚部５は、角形の棒状で図示してあるが、円柱形でも、また例えば六角形のような多角形であっても差し支えない。さらに、中空のパイプ状の材料を用いても良い。【００４１】
図２は、図１のワックス塗布作業台としての作業台１の側面図である。載置台３は、収納袋１ａの水平面、すなわち側面部１ｃの上端より上に突出していて、被処理材を載せて作業をするときに、収納袋１ａを傷付けたり、破損したりしないようにしてある。回転アーム４は、アーム回転軸部７で回転し、一点鎖線で示してあるように回転アーム４が、回転アーム４Ａや４Ｂのような位置へ回転可能である。回転アーム４の回転角度すなわち停止位置は、ラチェット構造としたり、またはアーム回転軸部７をネジ止めしたりして、所定の位置で停止ができるようにしてある。【００４２】
また図３に、過剰開脚防止装置８の他の例を示してある。すなわち、過剰開脚防止具８Ａは、２つの開脚支え部８ｂ有し、開閉止めネジ８ｃで開脚支え部８ｂは相対回転可能となり、開脚支え部８ｂの端部には引っ掛け部８ｄを設け、一対の支持脚部５のそれぞれに設けられた鋲状の形状をした引掛け具８ａと係合する。開脚時には、一直線状となって支持脚部５の開脚を支え、閉脚時には折り重なる。なお、過剰開脚防止具８Ａのような構造とすると、過剰開脚防止具８Ａの取り付け位置を、脚開閉軸部６より上側の位置でも、また図１または図２に図示されているような下側の位置にでも、自由に設けることが容易に可能となる。【００４３】
図４（Ａ）は、図１の作業台１の平面図である。点線で示す楕円形の形状をした被処理材例えばスノーボード２０がワックス塗布作業台１に載置された状況を示してある。収納袋１ａの両端部の各コーナー部には、回転アーム保持部材４ａが設けられている。回転アーム４の先端は、回転アーム保持部材４ａに挿入されて収納袋１ａを支持する。【００４４】
アーム回転軸部７は、載置台３の両端部から突き出している軸である。回転アーム４の基部と支持脚部５の一端部に設けられた回転穴（図示せず）に、アーム回転軸部７が入り込み、回転アーム４と支持脚部５は軸支される。回転アーム４の基部側（収納袋１ａを支持する反対側）には、回転位置調節部材７ａ、例えばラチェット機構の止めネジが設けてあり、その止めネジで回転アーム４の基部を止めている。回転アーム４は、必要な角度に回転された後、その止めネジを利用して停止固定させられる。【００４５】
図４（Ｂ）は、図４（Ａ）の一点鎖線で囲った部分の拡大図である。また、図４（Ｃ）の側面図で示す様に、塗布、研磨等の作業の終了後には、ワックスの削り滓等が飛散しないように回転アーム４を回転アーム４Ａの位置まで回転させ、収納袋１ａから、ワックスの削り滓等が収納袋１ａ外に飛散するのを防止する。すなわち、収納袋１ａの袋の縁が被処理材例えばスノーボード２０より上方にくるようにすることが好ましい。しかしながら、単に回転アーム４を回転アーム４Ａの位置まで回転させると、収納袋１ａはたるみとなって、収納袋１ａの縁であって中央部分（図４Ｃ）の左右中央付近は、スノーボード２０の位置よりさらに大きく下方にたるむこととなる。【００４６】
図４（Ｂ）、（Ｃ）で示すように、上述のたるみを防止するため、載置台３の端部に例えばマジックテープのような内側たるみ防止部材１ｃ１を設ける。また、この内側たるみ防止部材１ｃ１と係合するように収納袋１ａの側面部１ｃの内側に高さ方向に長くしてある袋側たるみ防止部材１ｃ２を設ける。さらに、側面部１ｃの上端より切り込みを入れてファスナー等で開閉できるようにしたたるみ防止連結部１ｃ４を設け、連結側たるみ防止部材１ｃ３を、内側たるみ防止部材１ｃ１と係合させるようにしても良い。なお、袋側たるみ防止部材１ｃ２は、１枚の矩形形状で下方に長くしてあるが、小片状として下方に向けて複数の小片状の袋側たるみ防止１ｃ２として配置しても良い。このような構成にすることにより、作業後のワックスの削り滓等の外部への飛散を防止でき、したがってワックスの削り滓等を収納容器部２に完全に収集することができる。【００４７】
図５は、本発明の第２の実施の形態に係るワックス塗布作業台としての作業台１Ａを説明するための図である。【００４８】
図５（Ａ）は、作業台１Ａを示す部分斜視図である。上述の図１の作業台１の載置台３とは、載置台凹部３ａ２を有する載置台３Ａを用いている点等が異なっている。以下、相違点のみ説明することとする。載置台３Ａは、載置台中央部３ａと、載置台中央部３ａの中央付近に設けられた載置台凹部３ａ２と、載置台中央部３ａの両側に設けられていて、アーム回転軸部７に連結する載置台腕部３ａ１とで構成されている。この載置台腕部３ａ１の両端には、図５（Ｂ）で示すように回転アーム４と支持脚部５とを軸支するアーム回転軸部７が嵌合する係合凹部となる回転軸受部７ｂが設けてある。載置台中央部３ａは、載置台腕部３ａ１より下方に突出して垂れ下がったようになっていて、載置台凹部３ａ２が設けられる大きさとなっている。載置台凹部３ａ２は、載置台３Ａにスキー板やスノーボード板等の被処理材２０を縦に載置し、その動きを規制することができる機能を有している。このように載置台凹部３ａ２を設けると、その部分を利用して被処理材２０を縦置きができ、また、載置台３Ａの平面部分を利用すると、被処理材２０を横置き（平面置き）ができ、縦にも横にも配置することができて、エッジの研磨やワックス塗布若しくは除去等の作業がやりやすくなる。【００４９】
また、図５（Ｂ）は、載置台凹部３ａ２の内面の底面および側面を説明する側面図で、軟質のゴムまたは軟質のプラスチックス等でできた緩衝材３ａ３が凹部内面に固着されている様子を示している。緩衝材３ａ３を設けることにより、被処理材２０例えばスキー板やスノーボード板等をこの載置台凹部３ａ２に挟んだとき、傷つくのを防止するとともに、確実に縦置きができる。なお、以後の説明において、載置台凹部３ａ２には、緩衝材３ａ３を設けることは共通しているので、説明、図示を省略することとする。なお、載置台凹部３ａ２は、その底面を平面状で図示してあるが、平面以外に、円弧状にしたり、三角形状や多角形状としたりしても良い。【００５０】
図６（Ａ）は、第２の実施の形態の第１変形例で、載置台凹部３ａ２に緩衝材３ａ３の代わりに、スペーサ３ａ６が挿入されている例を示す側面図である。すなわち、載置台凹部３ａ２に挿入されるスペーサ３ａ６の個数を変えることができるようになっている。載置台凹部３ａ２の内側面には、疵等が付かない様に、上述の軟質の緩衝材３ａ３と類似の性質を有する材料を用いて、嵌合突起３ａ４が形成されている。この嵌合突起３ａ４は、図６（Ｂ）に斜視図で示すところのスペーサ３ａ６の嵌合凹部３ａ５と嵌合することにより、載置台凹部３ａ２の深さが所定のものとなるようにしている。載置台凹部３ａ２の深さは、スペーサ３ａ６の個数または設置位置を調整することにより、必要な高さが確実に得られ、また作業時に被処理材の適正な高さが容易に得られ、しかもがたつくことも少なく、安定して作業が可能となる。【００５１】
図７は、第２の実施の形態の第２変形例に係る載置台３Ｂを説明するための斜視図である。なお、以後の載置台の説明においては、上述の各載置台とは異なるところのみ説明することとする。なお、載置台３Ｂの載置台腕部３ａ１の輪切りした断面の形状はほぼ円形形状で示したが、これは説明を分かりやすくするためであって、以下の図に置いても同様で、これに限定されるものではない。図７（Ａ）に示す様に、載置台３Ｂは、載置台中央部３ａと、その両側に設けられている載置台腕部３ａ１と、載置台腕部３ａ１の上面部の長さ方向に沿って設けられている止め具収納溝３ｂ１と、止め具収納溝３ｂ１の底面から垂直に設けられた貫通穴３ｂ２と、後述の図７（Ｂ）の側面図に示すところの被処理材止め具３ｂとで構成される。【００５２】
被処理材止め具３ｂは、Ｌ字型をしており、端部にねじ切りがされていて貫通穴３ｂ２に挿通されるとともに、ナット３ｂ３が嵌め込まれる雄ネジ部３ｂ４を有する一方の片と、被処理材（図示せず）を動かないように押さえる他方の片とからなっている。また、図７（Ｂ）の側面図の左側に例示してあるように、他方の片は、一方の片を軸にして３６０度回転が可能となっており、その先端が内側を向いたとき被処理材（図示せず）を押さえて、一方の片に嵌め込まれたナット３ｂ３で固定するようになっている。また、不使用時には、図７（Ｂ）の右側に図示したように、他方の片は止め具収納溝３ｂ１にすっぽりと収納されるようになっている。このような構成とすることにより、機械的に被処理材をがっちりと保持させることができる。なお、被処理材の固定は、被処理材を止め具収納溝３ｂ１の上部に配置させて行うようにしても良い。すなわち、図７（Ｂ）の左側の位置関係となるようにして被処理材を固定しても良い。また、この被処理材止め具３ｂと止め具収納溝３ｂ１の構成は、第１の実施の形態や他の変形例にも用いることができる。【００５３】
図８（Ａ）は、第２の実施の形態の第３変形例に係る載置台３Ｃを説明するための部分平面図である。載置台３Ｃは、載置台中央部３ａと、複数の載置台腕部３ａ１と、載置台凹部３ａ２については載置台３Ａと同じである。載置台３Ｃは、これらに加えて、その側面に、内側に向いて水平方向に突き出すように取り付けられている複数のＬ字状のカギ型をしたバンドかけ部材３ｃが設けられている。この例では、４つのバンドかけ部材３ｃが設けられている。【００５４】
このバンドかけ部材３ｃには、押さえバンド３ｃ１がバンドかけ穴３ｃ２を介してかけられている。押さえバンド３ｃ１には、バンドかけ穴３ｃ２が複数設けられている。図８（Ａ）では、バンドかけ部材３ｃは、各々の載置台３Ｃに２個ずつ設けられていて、押さえバンド３ｃ１には、バンドかけ穴３ｃ２が４個設けてあるものが例示されている。バンドかけ穴３ｃ２は、図８（Ａ）のＸ−Ｘ’の断面図である図８（Ｂ）で示すように、カギ型のバンドかけ部材３ｃの上向きの端部に係合するようになっている。押さえバンド３ｃ１は、被処理材例えばスノーボード２０が載置されていないときには、図８（Ａ）の実線で示すように、向かい合う載置台３Ｃのバンドかけ部材３ｃ、３ｃとの間に、押さえバンド３ｃ１の端部側の位置に設けられているバンドかけ穴３ｃ２、３ｃ２で、橋渡しするように係止されている。なお、図８（Ｂ）では、バンドかけ部材３ｃの断面形状は、Ｌ字型をしているが、バンドかけ部材３ｃの先端部を内側（載置台３Ｃ側）に折り曲げ、例えば図２０で後述するカギ型係止部６ａ２のような形状とすると、折り曲げた部位がストッパーとなり、押さえバンド３ｃ１がバンドかけ部材３ｃから外れるという事態が減少する。したがって、種々の幅を有する被処理材に対しても、バンドかけ部材３ｃや押さえバンド３ｃ１の長さやバンドかけ穴３ｃ２等を任意に設定することができるので、種々の被処理材を載置台３Ｃ上に確実に係止させることができる。【００５５】
作業時に被処理材２０を固定するときは、点線で示すように、押さえバンド３ｃ１は、載置台３Ｃ、３Ｃのそれぞれに設けられているバンドかけ部材３ｃ、３ｃに橋渡しするようにかけられる。すなわち、押さえバンド３ｃ１の端部側に位置するバンドかけ穴３ｃ２と、それに隣り合わせしているバンドかけ穴３ｃ２が、同一載置台３Ｃのバンドかけ部材３ｃ、３ｃにかけられる。これにより、被処理材２０の支え機能を強化させる。この結果、載置台３Ｃ、３Ｃのそれぞれに、対となって設けられているバンドかけ部材３ｃ、３ｃにかけられる押さえバンド３ｃ１の形状は、上述の実線で示してある直線状の形状から、点線で示すようにコの字形状となる。【００５６】
なお、載置台３Ｃ、３Ｃのそれぞれのバンドかけ部材３ｃ、３ｃの全部に橋渡しするようにかける代わりに、必要に応じ片方の載置台３Ｃのバンドかけ部材３ｃ、３ｃのみにかけるようにして使用しても良い。さらに、バンドかけ穴３ｃ２の内側の１つを使用しなくて３個使用して、押さえバンド３ｃ１の一部が載置台３Ｃ、３Ｃの間を斜めに横切って、「レ」の字のような形状になるようにかけても良い。この押さえバンド３ｃ１は、弾力性があって、伸縮性を有する部材、例えばゴム、軟質のプラスチックスなどを用いるのが好ましい。さらには、被処理材に疵がつかないような対策（例えばゴムコーティングなど）を施した硬質プラスチックスまたは金属でできたバネ材などを用いることもできる。さらに、バンドかけ穴３ｃ１は、４つ以上設けるようにすると、たった１本の押さえバンド３ｃ１で、さらに種々なかけ方、すなわち被処理材例えばスノーボード２０の支え機能の選択ができる。なお、バンドかけ部材３ｃは、一つの載置台３Ｃに３個以上設けるようにしても良い。さらに、バンドかけ部材３ｃ等の構成は、第１の実施の形態や、他の変形例にも適用することができる。【００５７】
図９（Ａ）は、第２の実施の形態の第４変形例である載置台３Ｄを示す斜視図で、長足型吸着部材３ｄが設けられている。載置台３Ｄは、載置台中央部３ａと、複数の載置台腕部３ａ１と、載置台凹部３ａ２までは上述の載置台３Ａ、３Ｂ、３Ｃの構成と同じで、さらに載置台腕部３ａ１に設けられた貫通穴３ｂ２と、貫通穴３ｂ２を通して載置台腕部３ａ１に配置される長足型吸着部材３ｄとで構成される。【００５８】
また、図９（Ｂ）の側面図に示すように、長足型吸着部材３ｄは、被処理材（図示せず）に吸着、固定する吸盤部３ｄ１と、吸盤部３ｄ１の外縁部側に吸着解除をさせるために設けられたつまみ３ｄ２と、貫通穴３ｂ２に挿入される棒状をした吸着部材挿入部３ｄ４と、長足型吸着部材３ｄが載置台腕部３ａ１より脱落しないように貫通穴３ｂ２より径大で吸着部材挿入部３ｄ４と結合している吸着部材止め部３ｄ３とで構成される。このような構成とすることにより、被処理材は、吸盤部３ｄ１によって被処理材の片方の面のみが固定されることとなるので、ワックス塗布作業が行いやすくなる。なお、吸着部材止め部３ｄ３は、取り付け取り外し可能としても良いし、また貫通穴３ｂ２を変形させながら通過するような柔軟性を持った材質にして、吸着部材挿入部３ｄ４と一体化して用いても良い。また、この長足型吸着部材３ｄとその関連構成は、第１の実施の形態の他の変形例にも適用できる。【００５９】
なお、中実の棒状若しくは中空のパイプ状（図示せず）の心材３ａ１ｂを、例えばゴムやプラスチックスなどの被覆材３ａ１ａで被覆して用いることが好ましい。この皮覆材３ａ１ａは、作業のために被処理材が載置台腕部３ａ１上に載置されたとき、被処理材が疵付くのを防止することができる。また、各種載置台の表面に種々な形状を形成するための加工層としても用いることができる。すなわち、被覆材３ａ１ａに、例えば溝を形成したり、あるいは径方向に複数の切り込みを入れて切り離したりしてリング状の部材を形成したりして、例えば、後述する図１０（Ａ）や図１２（Ａ）で図示されているリング状の部材として利用することもできる。さらに、心材３ａ１ｂの材質が、固い材料例えば金属であっても、その材質に左右されることなく表面の加工が容易にできる。なお、この被覆材３ａ１ａとその関連構成は、他の載置台各種にも適宜適用できる。【００６０】
図１０は、上述の第４変形例をさらに変形した第５変形例となる載置台３Eを示す部分側面図である。説明を分かりやすくするために、載置台３Ｅの片方の載置台腕部３ａ１のみを図示し、載置台中央部３ａと、他方の載置台腕部３ａ１とは省略してある。以下では、上述の各載置台３Ａ，３Ｂ，３Ｃ，３Ｄと共通している部分の説明を省略し、載置台腕部３ａ１の構成の相違のみについて説明する。載置台腕部３ａ１は、複数の円輪状をした位置調節リング３ｄ７と、位置調節リング３ｄ７が回転かつ左右にスライド可能に嵌め込まれる径が小さくなっている調節リング用凹部３ｄ８と、調節リング用凹部３ｄ８に巻き付く載置台巻き付け部３ｄ５を有する巻き付け型吸着部材３ｄａとで構成される。なお、円輪状の位置調節リング３ｄ７を、径が小さくなっている調節リング用凹部３ｄ８に嵌め込む構成は、図示しないが、例えば位置調節リング３ｄ７の一箇所に切り込みを入れ、その切り込み部分をバネ性を利用して開き、調節リング用凹部３ｄ８の径より大きな開口を設け、その開口部分から嵌め込むような、公知の種々の方法を採用することで達成できる。【００６１】
また、巻き付け型吸着部材３ｄａは、吸盤部３ｄ１と、つまみ３ｄ２と、巻き付け部３ｄ４と、載置台腕部３ａ１の調節リング用凹部３ｄ８に巻き付けられた巻き付け部３ｄ５を締め付けて固定する締め付け部３ｄ６とで構成される。図１０の（Ａ）構造と（Ｂ）の構造の違いは、位置調節リング３ｄ７の並べ方を変えたもので、位置調節リング３ｄ７の位置を変えることにより、巻き付け型吸着部材３ｄａの位置が変わることを示している。【００６２】
また、図１０（Ｃ）は、巻き付け型吸着部材３ｄａを図１０（Ａ）の矢示Ｘ方向から見た図で、締め付け部３ｄ６はネジ締め付け構造とされている。しかし、単にバネ式で嵌め込むようにしても良いし、また巻き付け部３ｄ５を弾力性のある例えばゴムリングとしても良い。また、図１０（Ｄ）は、吸着力を向上させてある例えば５ｋｇの荷重に耐えるような強力吸着部材３ｄａａ（商品名：レバー式吸盤フック・レック株式会社製）を用いている側面図である。強力吸着部材３ｄａａの減圧操作を行う圧縮レバー３ｄ９を軸支する軸３ｄ１１は、巻き付け部３ｄ５の上面に取り付け部材３ｄ１０を介して結合し、吸盤部３ｄ１と一体化している。【００６３】
強力吸着部材３ｄａａは、調節用リング凹部３ｄ８に締め付け部３ｄ６で締め付けて固定される。なお、取り付け部材３ｄ１０は弾力性を有する性質を持たせることにより、被処理材の取り付けの際の対応性が向上する。なお、図１０（Ｄ）では、レバー式を図示してあるが、ねじ込み式であっても差し支えない。このような巻き付け型を利用することにより、被処理材（図示せず）が種々な寸法を有していても、その被処理材に合った巻き付け型吸着部材３ｄａ、３ｄａａを使用したり、その位置を変更したりすることにより、確実に吸着保持させることができ、作業が行い易くなる。なお、図１０（Ａ）、（Ｂ）、（Ｃ）、（Ｄ）に示す構成は、第１の実施の形態や他の変形例にも適用することができる。【００６４】
図１１（Ａ）は、第２の実施の形態の第６変形例である載置台３Ｆを説明するための斜視図である。載置台３Ｆは、載置台中央部３ａと、載置台腕部３ａ１と、載置台凹部３ａ２を有しているまでは、上述の第２の実施の形態に係る各載置台と同様であるが、異なっているのは、載置台腕部３ａ１に保持部材収納溝３ｂ１が設けられ、短足型吸着部材３ｄｂを保持する保持部材３ｅが、その保持部材収納溝３ｂ１に出入可能に設けられている点である。【００６５】
図１１（Ｂ）の側面図で示すように、保持部材収納溝３ｂ１には、載置台中央部３ａ寄りに設けられている回転ピン３ｅ１で、回転可能に軸支される保持部材３ｅが収納されるようになっている。保持部材３ｅには、取り付け取り外し可能に、図９で示す吸着部材挿入部３ｄ４のない、短足型の吸着部材３ｄｂが設けられている。また、短足型の吸着部材３ｄｂは、吸盤部３ｄ１と、吸着解除用のつまみ３ｄ２と、止め部材挿入穴３ｄ４０に取り外し可能に挿入される吸着部材止め部材３ｄ３とで構成されている。【００６６】
図１１（Ｂ）では、載置台腕部３ａ１の右側は、保持部材３ｅが保持部材収納溝３ｂ１に収納されている状態を示している。左側は、保持部材３ｅが回転ピン３ｅ１で回転し、立ち上がり、被処理材例えばスノーボード２０に短足型の吸着部材３ｄｂの吸盤部３ｄ１が吸着することにより、保持部材３ｅがスノーボード２０を支えている様子を示している。このような構成にすることにより、単に載置台凹部３ａ２に被処理材を挟み込んだときに比べ、横からの力に対して安定していて、強い力での作業が可能となる。なお、図１１（Ｂ）では、左側片方のみ支える様に図示してあるが、必要に応じて左右両方で支えるようにしても良い。なお、保持部材３ｅとその関連の構成は、第１の実施の形態や他の変形例にも適用することができる。【００６７】
図１２（Ａ）は、第２の実施の形態の第７変形例である載置台３Ｇを説明する側面図である。載置台３Ｇは、載置台中央部３ａと、載置台中央部３ａに設けられた載置台凹部３ａ２は、上述の各作業台と同じであるが、さらに載置台中央部３ａから両側に突き出すように設けられている腕部回転軸３０と、腕部回転軸３０上を左右にスライドしかつ回転可能に軸支されているスライド載置台３１とで構成されている。【００６８】
また、図１２（Ｂ）の斜視図で示すように、スライド載置台３１は、円形の腕部回転軸挿通穴３２と、保持部材収納溝３ｂ１と、保持部材３ｅと、保持部材３ｅを矢印方向に回転可能とする載置台中央部３ａ寄りに設けられた回転ピン３ｅ１とで構成されている。さらに、保持部材３ｅには、吸着部材止め部材３ｄ３が挿入されたり、取り外されたりすることが可能な複数の止め部材挿入穴３ｄ４０が設けられている。止め部材挿入穴３ｄ４は、腕部回転軸３０の長さ方向に配置されていて、短足型吸着部材３ｄｂの位置を変更させることができる。すなわち、短足型吸着部材３ｄｂを止め部材挿入穴３ｄ４０の任意の位置に移動することができるので、被処理材の大きさの制限がより少なくなる。なお、このスライド載置台３１とその関連構成は、第１の実施の形態や、他の変形例にも適用できる。【００６９】
図１３（Ａ）は、載置台第２の実施の形態の第８変形例である載置台３Ｈを示す斜視図である。上述の各載置台と異なる点は、載置台腕部３ａ１の端部に削り板３ａａと、削り溝３ａｂとが設けてある点である。ワックス塗布作業を行った後には、スクレイパー（図示せず）で、スノーボードのような被処理材（図すせず）に塗布された余分なワックスを除去して、平滑な面を得ることが必要となってくる。この作業を行うと、スクレイパーに、ワックスの削り滓が付着し除去する必要が生じてくる。そのために、図１３（Ｂ）の側面図で示すように、載置台腕部３ａ１の端部上面に、水平かやや上向きになるようにエッジのある削り板３ａａを設ける。【００７０】
これにより、スクレイパーについたワックスを確実に削りとり、除去することが可能となる。また、スクレイパーの厚みよりやや大きめな溝幅を持つ削り溝３ａｂを載置台腕部３ａ１の外周にリング状に設けることにより、スクレイパーの両面についたワックスの削り滓を同時に除去することができる。なお、これらの削り板３ａａや削り溝３ａｂは、上述の各載置台にも重複して設けることが可能である。また、この削り板３ａａは、載置台腕部３ａ１の上面部に設置されているので、被処理材に、図示しないが他の部材を取り付ける際、例えばネジ止めによって取り付け作業をする際に、載置台腕部３ａ１上に置かれた被処理材にネジ止めによる回転方向の力が加わったとしても、この削り板３ａａが被処理材の回転のストッパーの役割もはたし、作業を安全に行うことができる。なお、図１３（Ａ）では、削り板３ａａと削り溝３ａｂを各１個ずつ設けてあるが、必要に応じそれぞれを削り板３ａａのみとしたり、削り溝３ａｂのみとしたりしても良い。【００７１】
載置台３Ｂ、３Ｃ、３Ｄ、３Ｅ、３Ｆ、３Ｇ、３Ｈの載置台腕部３ａ１の断面形状を円形で図示してあるが、これ以外に楕円形や、上述の四角形をしたものや、さらに多角形状をしていても良い。【００７２】
図１４は、本発明の第３の実施の形態に係るワックス塗布作業台としての作業台１Ｂの部分斜視図である。この作業台１Ｂが、上述の作業台１、１Ａと異なるのは、２つの載置台３を橋渡しするように板状載置台３５が設けられている点である。この板状載置台３５は２枚に分割され、折り曲げ金具３６ａで連結されており、またこの折り曲げ金具３６ａを介し折り曲げ部３６で蝶の羽のように二つ折りとなる構成となっている。図１４では、板状載置台３５は、板状のものが２枚で構成される様に図示してあるが、１枚板として取り外し可能としても良いし、板幅を小さくして４枚とか６枚とかに分割したり、あるいはスノコ状のようにしたりして隙間を設ける様にしても良い。また、載置台３に固定しても良いし、載置台３より取り外し可能としても良い。さらに、板状載置台３５の上面に吸着部材３ｄ（図示せず）を配設しても良い。なお、図１４では、板状載置台３５は、収納袋１ａの幅一杯に設けるように図示してあるが、必要に応じてその幅は、小さくすることもできる。【００７３】
図１５は、上述の板状載置台３５に用いるバイス型保持装置３７を説明するための図である。バイス型保持装置３７は、装置の骨格をなすバイス保持装置本体部３７ａと、バイス型保持装置３７の上方中央部に設けられた載置台凹部３ａ２と、載置台凹部３ａ２を挟んで設けられた吸着部材３ｄ（３ｄａ、３ｄｂ）と、バイス保持装置本体部３７ａの下方に設けられたバイス止め部３７ｂとで構成される。バイス止め部３７ｂは、例えば長さや幅を変え、取りつけやすく構成された上述の板状載置台３５の側面側に、ねじ切りされた止め軸３７ｃを回転させることにより、締め付け、ゆるめなどによって、取り付け取り外しが可能となっている。【００７４】
図１５（Ａ）は、図１５（Ｂ）の側面図で示す巻き付け型吸着部材３ｄａを用いている様子を示す側面図である。巻き付け部３ｄ５は、帯状の形状（薄板形状）をしており、巻き付け溝３７ｄに入り込むようにして巻き付けられ、端部に設けられた巻き付け係止部材３７ｅ、例えばフック、マジックテープあるいは時計バンドの止め具様のものなどで係止される。なお、図１５（Ｂ）に示すように、巻き付け形状の断面が四角形をしているが、これは巻き付け溝３７ｄの断面形状にしたがって、図１０（Ｃ）に示すように、巻き付け形状の断面が円形となるような巻き付け型吸着部材３ｄａを用いることも可能である。帯状としたのは、巻き付け溝３７ｄの形状がどのような形状であっても、容易に対応できる利点があるためである。なお、このバイス型保持装置３７は、他の作業台にも適用可能であるが、さらに後述する図３９に示す作業台１Ｊには、効果的である。【００７５】
さらに、図１５（Ｃ）は、バイス型保持装置３７の上方中央部の載置台凹部３ａ２を挟んで短足型吸着部材３ｄｂが設けられている様子を示す断面図である。短足型吸着部材３ｄｂは、吸盤部３ｄ１の底部にバイス型保持装置３７の上方の面に設けられた雌ネジ部３７ｅにねじ込み係合される雄ネジ部３７ｆを有している。なお、ねじ込みの代わりに、上述の圧入方式を用いても良い。また、止め軸３７ｃは、ねじ込み以外の方法も採用できる。例えば油圧式で挟み込むようにしても良い。このような構成にすると、被処理材が板状載置台３５の幅一杯に使用できるので、色々な道具を置くこともできる。また、被処理材の載置の自由度を大きくすることができ、作業が行いやすくなる。【００７６】
図１６は、本発明の第４の実施の形態に係るワックス塗布作業台としての作業台１Ｃを示す斜視図である。ワックス塗布作業台１Ｃが、作業台１、１Ａおよび１Ｂと異なるのは、使用時に支持脚部５は開いて固定したままで動かさず、載置台３が矢印方向へ移動して、複数の載置台３間の距離の調整を可能とするものである。すなわち、載置台３の両端に設けられているスライド回転軸部４２が、載置台位置調整部４０に設けられている係留凹部４１に係留されて、２つの載置台３、３の間隔を決めることになる。図１６の例では、図示状態が最も広い間隔となり、一方の載置台３を１つ分内方にある係留凹部４１に係留した状態が次に広い間隔となり、さらに他方の載置台３も１つ分内方にある係留凹部４１に係留することで３番目の広さの間隔となる。このようにして、図１６に示す作業台１Ｃは計７段階の広さを設定できることとなる。なお、載置台３は、便宜的に図１と同様なものを例示したが、上述の各載置台を用いることも可能である。【００７７】
図１７（Ａ）、（Ｂ）は、図１６を詳しく説明するための部分斜視図および部分側面図である。すなわち、図１７（Ａ）は、支持脚部５は動かさず、載置台３のスライド回転軸４２を移動させたり、保持したりする係留凹部４１を有する載置台位置調整部４０を説明するための部分斜視図である。載置台位置調整部４０は、スライド回転軸４２が係留される係留凹部４１を有する係留本体部４０ａと、係留凹部４１に蓋をするように設けられた蓋部４０ｂと、係留本体部４０ａを二つ折りに可能とする折り曲げ金具３１ａと、蓋部４０ｂを二つ折りに可能とする蓋折り曲げ金具４０ｃと、係留本体部４０ａの端部に設けられて、回転アーム４を回転可能に保持する回転アーム保持部４３とで構成される。なお、係留凹部４１は、仕切４０ａ１によって係留本体部４０ａに複数形成されている。【００７８】
また、図１７（Ｂ）に示すように、支持脚部５は、係留本体部４０ａの底面側に設けられている支持脚保持部４４に回転ピン４４ａで回転可能に係止されている。また、回転アーム保持部４３は、係止回転ピン４３ａで回転アーム４の回転角調整ができるように構成されている。載置台３の両端は、係留凹部４１に挿入係止されるスライド回転軸４２となっていて、蓋部４０ｂを持ち上げることによって、スライド回転軸４２、いいかえると、載置台３が係留凹部４１の各位置にあわせて自由に移動することが可能となる。また、この係留凹部４１に蓋部４０ｂが蓋をすることによって、載置台３のスライド回転軸４２が作業中に係留凹部４１から脱落することがなく、確実に作業が可能となる。なお、複数の係留凹部４１の代わりに、複数の係留凹部４１の仕切４０ａ１をなくして横長の一つの凹部とし、蓋部４０ｂに止めネジを設けてスライド回転軸４２を係止するようにしても良い。このような構成にすると、載置台３のみを係留凹部４１に従って移動することができるので、被処理材の長さのサイズが種々変わっても、ワックス塗布作業等に支障をきたすことが極めて少なくなる。【００７９】
図１８は、本発明の第５の実施の形態に係る作業台１Ｄを説明するための平面図である。図１８（Ａ）に示す様に、この作業台１Ｄが上述の各作業台と異なる点は、載置台３の端部のアーム回転軸部７に設けられている回転アーム４を、スライドさせたり、係止したりするスライド保持具５０を設けて、回転アーム４の長さを自由に調節可能とした点である。図１８（Ｂ）は、スライド保持具５０を説明するための部分平面図で、図１８（Ｃ）は、図１８（Ｂ）のＸ−Ｘ’での断面図である。すなわち、スライド保持具５０は、回転軸受部７ｂにネジ込み等により回転可能に挿入された回転軸７ｃと一体化されている。この回転軸７ｃは、支持脚部５にも係合し、支持脚部５によって軸支されるようになっている。回転アーム４は、図１８（Ｂ）に示す矢印方向に、図１８（Ｃ）のスライド穴５０ａをスライドし、所定の位置にスライド止めピン５１で係止される。このような構成にすると、回転アーム４のみの長さを調節すれば、収納袋１ａの長さ、すなわち、作業台１Ｄの作業時の長さ方向の長さを自由に調整できるので、狭いスペースで作業を行うこともできる。なお、載置台３は、図１６の作業台１Ｃと同様としてある。【００８０】
図１９（Ａ）は、上述の各作業台に用いられる支持脚の第１変形例である支持脚部５Ａを説明する側面図である。すなわち、支持脚部５Ａの主要な部分である支持脚材５ａａが開いて設置されていて、道具袋６０が、道具袋６０に設けられた脚部取り付け部材６１で支持脚材５ａａに取り付けられている。【００８１】
図１９（Ｂ）は、上述の道具袋６０を説明するための斜視図である。道具袋６０は、容器部６３と、容器部６３の両側面上端部にそれぞれ設けられた帯状で、かつ先端部に例えばマジックテープのような道具袋固定部材６１ａを有し、各支持脚材５ａａに巻き付き取り付けを可能とする脚部取り付け部材６１と、容器部６３の他の両側面部の上端部に設けられ、支持脚材５ａａに巻き付いた後の道具袋固定部材６１ａと合体する容器部固定部材６１ｂと、綴じ紐６２が挿通するように例えば容器部６３の一部が折り返されて形成されている綴じ紐保持部６２ａとで構成されている。なお、綴じ紐６２は、道具袋６０が支持脚部５Ａから取り外されたとき、紐を締めることにより、道具袋６０は巾着袋を閉めたようになり、道具類を紛失することのないようにまとめて保管することができる。なお、脚部取り付け部材６１は、上述のようなマジックテープを使用せず、単に紐状として結びつけるようにしても良い。【００８２】
図２０は、上述の各作業台に用いられる支持脚の第２変形例である支持脚部５Ｂを示す側面図である。すなわち、支持脚部５Ｂは、その主要な部分である支持脚材５ａａの脚開閉軸部６を兼ねる脚開閉軸部材６ａを有しているものである。図２０の右側の脚開閉軸部材６ａには、道具類を係留、係止させることを可能とするＬ字型係止部６ａ１が設けられており、左側の脚開閉軸部材６ａには、カギ型係止部６ａ２が設けられている。この図２０では、異なる係止部材が左右に設けられているが、左右には同じ係止部材が設けられても良い。【００８３】
Ｌ字型係止部６ａ１は、Ｌ字型の形状で、一方の片は直線状で、他方の片の端部は、支持脚部５Ｂの支持脚材５ａａを軸支するとともに、ねじ切りされた雄ねじ部６ａ４が形成されていて、内外両側からナット６ａ３が嵌め込まれて固定されるようになっている。また、カギ型係止部６ａ２は、上述のＬ字型係止部６ａ１の一方の片の直線状の形状の代わりに、「コ」の字型に類似した形状としている。このような形状とすると、落下すると破損するようなものを確実に係留、係止させることができる。なお、図２０では、Ｌ字型係止部６ａ１とカギ型係止部６ａ２は、共に支持脚部５Ｂの内側を向いて設けてあるが、外向きに設けても良い。【００８４】
図２１（Ａ）は、上述の各作業台に用いられる支持脚の第３変形例である支持脚部５Ｃを示す斜視図である。すなわち、支持脚部５Ｃの主要な部分を構成する支持脚材５ａａの端部（設地側）には、２つの支持脚材５ａａを橋渡しするように接地部材５ｂが設けられている。このような構成にすると、左右（側面側）からの力が加わっても、接地部材５ｂの接地面積を大きく維持でき、したがって摩擦抵抗が大きくなることから、作業台のがたつきが少なくなり安定した作業ができる。【００８５】
また、図２１（Ｂ）は、図２１（Ａ）の接地部材５ｂに、短足型吸着部材３ｄｂが取り付け取り外し可能に設けられている様子を示す斜視図である。すなわち、接地部材５ｂには、挿入穴５ｃが設けられ、短足型吸着部材３ｄｂの一部を構成する吸着部材止め部材３ｄ３が取り外し可能に挿入されている。このような構成にすることにより、接地側がつるつるした面であっても、吸盤部３ｄ１が接地側に吸着することにより、作業台はがたついたり、滑ったりしないようになる。なお、吸着部材例えば短足型吸着部材３ｄｂは、上述の他の支持脚部の設置面側に設けることも可能である。なお、図２１（Ｂ）では、短足型吸着部材３ｄｂに、つまみ３ｄ２の図示がしてないが、つまみ３ｄ２を設けても良い。さらに、吸着部材の代わりに、軟質で表面がイボイボの表面積が大きく、摩擦抵抗も大きいシートを貼り付けても良い。なお、説明の便宜上、過剰開脚防止装置８の図示は省略してある。【００８６】
図２２の（Ａ）から（Ｃ）は、作業台１から１Ｄに係る部分平面図で、収納袋１ａの両端部に、回転アーム保持部材４ａを設ける代わりに、折り返し部１００が設けられている様子を示している。図２２（Ａ）は、調節用折り返し部１００の両隅部に、回転アーム止め穴１ｄが設けてある。回転アーム４の先端には、収納袋１ａが不必要に閉じたりすることがないようにするための円輪状でかつ回転アーム止め穴１ｄより大径の止め部４ｂが設けられているとともに、後から嵌め込む球形の球状収納袋止め部材１ｅが設けられている。収納袋１ａは、回転アーム止め穴１ｄに回転アーム４の先端が挿入された後、回転アーム４にはめ込みまたはねじ込みされる球状収納袋止め部材１ｅによって、外れないように支持される。【００８７】
図２２（Ｂ）は、球状収納袋止め部材１ｅの代わりに、角形収納袋止め部材１ｆが設けられている部分平面図である。角形収納袋止め部材１ｆは、折返し部１００の回転アーム止め穴１ｄに突き差さって収納袋１aを回転アーム４に支持する。なお、回転アーム４には、止め部４ｂに相当する内側突出部４ｃが設けられている。この内側突出部４ｃは、収納袋１ａの幅方向の中心側へのみ突出する部分で、止め部４ｂと同様の働きをするものである。なお、図示してないが、折り返し部１００を設ける代わりに、収納袋１ａの底部１ｂまたは側面部１ｃの回転アーム４に沿った位置に、破損防止具例えば収納袋１ａを固定するための固定リング１３（図２４等で後述図示）等が設けられた穴を複数対設けて、その穴に回転アーム４を突き通して収納袋１ａを保持するようにしても良い。【００８８】
図２２（Ｃ）は、図２２（Ｂ）の内側突出部４ｃが連結しているもので、一本の棒を折り曲げるようにした連結回転アーム４ｄの折り曲げ先の部分を、折り返し部１００に収納させて収納袋１ａを保持させ、上述の回転アーム止め穴１ｄを省略したものである。連結回転アーム４ｄは、折り曲げコーナー部分が円弧状に形成されている。しかし、図示してないが、三角形中の一部分の形状、四角形中の一部分の形状あるいはそれ以上の多角形等の一部分の形状としても良い。さらに、回転アーム４の先端側を筒状にして、連結回転アーム４ｄを差し込むようにしても良い。これにより、連結回転アーム４ｄを矢印方向に移動することが可能となり、収納袋１ａの種々なサイズにも適応できるようになる。また、収納袋１ａと回転アーム４等がずれないように、図示しないが折り返し部１００にフックボタンやマジックテープなどを設けて、連結回転アーム４ｄを完全に挟み込むようにしても良い。【００８９】
図２３は、折り返し部１００を角形にしたもので、折り返し部１００はコの字型をしている。コの字型の向かい合う辺に回転アーム４が挿入されて、収納袋１ａを支持する。また、他の辺は、収納袋１ａの端部を単に折り返しした状態のみの図示をしてあるが、収納袋１ａがたるまないように、図示しないが、この部位に収納袋１ａを支持する部材例えば回転アーム４と同じ材料でできた部材を入れるようにして、たるみを防止するようにしても良い。【００９０】
図２４（Ａ）は、折り返し部１００付きの収納袋１ａに複数（ここでは２つ）の付け替え可能とした調節用折り返し部１００ａと、脚穴部１２に収納袋固定リング１３（後述図示）が設けられている状態を示す平面図である。図２４（Ｂ）は、この付け替え可能な調節用折り返し部１００ａを示す平面図で、袋状になっており、回転アーム止め穴１ｄが設けてある。また、付け替え可能な調節用折り返し部１００ａの両端部には、収納袋１ａの所定の位置に固定できるように固定具１g、例えばファスナーが設けてある。また、収納袋１ａの両側の端部にも固定具（図示せず）、例えばファスナーが設けられていて、調節用折り返し部１００ａの固定具１ｇと係合して固定される。また、図２４（Ｃ）は、図２２（Ｃ）に示す様な連結回転アーム４ｄを用いたときに利用する袋状調節用折り返し部１００ｂを示す平面図である。袋状調節用折り返し部１００ｂも固定具１ｇで収納袋１ａの所定の位置に固定される。なお、調節用折り返し部１００ａは、回転アーム止め穴１ｄがあっても、連結回転アーム４ｄに利用することができる。【００９１】
図２４（Ｄ）は、延長型調節用折り返し部１００ｃを示す平面図である。延長型調節用折り返し部１００ｃは、収納袋１ａの端部の底面部１ｂと側面部１ｃを切断し、その切断部分に固定具1ｇを設け、その固定具１ｇと結合するような固定具１ｇを延長型調節用折り返し部１００ｃに設け、さらに回転アーム４によって支持されるコの字をした角形折り返し部１００ｃ１を設けたものである。すなわち、延長型調節用折り返し部１００ｃは、異なる長さのものを複数種類用意することで、実線で示すような長さにしたり、点線で示すような収納袋１ａにしたり等、収納袋１ａの長さを自由に調節できる。したがって、回転アーム４をスライドさせて、長さ調節できる作業台１Ｄには、特に有効である。このように、各種の調節用折り返し部１００ａ、１００ｂ、１００ｃを取り付けまたは取り換え可能にすることにより、上述の各支持脚部の開脚具合に合わせて、収納袋１ａの長さを調節でき、収納袋１ａがたるむことを防止できる。なお、図２４（Ａ）では、複数の調節用折り返し部１００ａが図示してあるが、この調節用折り返し部１００ａは、所定の位置に一つだけ設けるようにしてもよい。また、固定方法には、ファスナーの代わりに、マジックテープで係合するようにしても良い。【００９２】
図２５は、収納袋１ａを支持脚部５（図示せず）より取り外し可能とする例を説明する平面図である。すなわち、収納袋１ａの脚穴部１２に設けられている固定リング１３の幅方向外側に切れ目を入れ、その切れ目から、幅方向外側に存在する収納袋１ａの底部１ｂと側面部１ｃに切れ目を入れ、その切れ目に固定具１ｇ例えばファスナーを設けて連結、解放が可能な構成とする。このような構成にすると、作業終了時に支持脚部５（図示せず）と収納袋１ａとを、切れ目、すなわち固定具１ｇの部分から別々にすることができるので、収納袋１ａだけを取り出して洗浄するのに効果的である。なお、固定具１ｇとしては、上述のファスナーの他に、図示しないがシート状のものを、マジックテープや磁石で切れ目に重ね合わせるようにして固定し、ワックス滓等が収納袋１ａの外部に漏れ出さないようにしても良い。【００９３】
図２６は、図２４（Ａ）の平面図で示す収納袋１ａに脚穴部１２を複数設けた状態（この例では計１２個）を示す図である。また、収納袋の底部１ｂの外側（図では裏側）に、接地面側が互いに反対の磁性を持った磁石１ｈが、収納容器部２を挟んで一対設けられている。複数の脚穴部１２には、固定リング１３（後述図示）がそれぞれ設けられている。複数の脚穴部１２は、対となるようにそれぞれの側面部１ｃ、１ｃの付近で側面部１ｃと垂直方向の同じ対称となる位置に配列されている。また、固定リング１３には長さ方向に切れ目が設けられていて、固定リング１３の切れ目と切れ目は、収納袋１ａに設けられた固定具１ｇを介して連結している。この切れ目は、長さ方向に３つ並ぶ固定リング１３のうち、中央のものは長さ方向に対称的に２つ設けられ、他の２つは中央の固定リング１３に近い側にそれぞれ１つのみ設けられている。このように、固定リング１３と収納袋１ａを固定具１ｇで開閉可能にすることにより、支持脚部５（図示せず）の開き具合に合わせて、固定具１ｇを開いて支持脚部５を移動させると共に調節用折り返し部１００ａで収納袋１ａを、たるみが少なく支持することができる。【００９４】
また、収納容器部２を挟んで接地面側が反対の磁性を持った一対の磁石１ｈ、１ｈは、必要に応じ複数対設ける様にしても良い。このように反対の磁性を持った磁石１ｈ、１ｈを設けるのは、作業終了時に作業台を折りたたむとき、収納袋１ａも中央から折りたたまれる。このとき、磁石１ｈ、１ｈが収納袋１ａの底部１ｂを通して、磁力で合体することにより、収納袋１ａの中間でのたるみが起こらないようにたたむことが可能となる。したがって、たるみが少なくなることから、折りたたみ時に収納袋１ａを傷つける危険性が減少する。なお、不使用の脚穴部１２には、蓋（図示せず）をして、雨水やゴミなどが進入するのを防ぐようにしておくのが好ましい。【００９５】
図２７は、収納袋１ａの長手方向の端部、すなわち回転アーム４の先端部に補助載置部１１０を設けた状態を示す部分平面図である。補助載置部１１０は、道具類を置くための部分で、網部１１０ａと、網部１１０ａを支える二本の補助アーム１１０ｂと、補助アーム１１０ｂの一方の先端に設けられた挿入部１１０ｃとで構成される。網部１１０ａは、補助アーム１１０ｂにフックやマジックテープ（図示せず）で任意の長さに調節できるように取り付けられている。また挿入部１１０ｃは、止め部４ｂに挿入可能となっていて、任意の長さに調節できるように構成されている。このように、補助載置部１１０を設けることにより、各種の道具類を手の届く範囲に多数配置することができ、ワックス塗布等の作業がやりやすくなる。【００９６】
図２８（Ａ）は、収納袋１ａの長手方向の端部、すなわち回転アーム４の先端部に道具かけ部材１１１を設けた状態を示す部分平面図である。道具かけ部材１１１は、図２８（Ｂ）の斜視図で示すように、二股に分かれた道具かけ部１１１ａと、雌ネジが形成された止め部４ｂにねじ込まれる雄ネジ部となるネジ込み部１１１ｂと、緩衝防疵部材１１１ｃと、道具掛け部１１１ａの先端の上方に折れ曲がっている屈曲部１１１ｄとで構成される。緩衝防疵部材１１１ｃは、二股に分かれた道具かけ部１１１ａ、１１１ａに掛けられる道具類にショックを与えたり、疵等がついたりすることがないように、例えば布やゴムあるいは軟質のプラスチック等が巻き付け用いられる。また、カギ型に折れ曲がっている屈曲部１１１ｄは、道具類を載置したときに脱落することを防止する。したがって、このような構成にすると、例えばアイロンのような道具を作業中に一時的に、道具かけ部１１１ａ、１１１ａに安心してまたがる様に載置することが可能となり、作業の切り替えがやりやすくなる。【００９７】
図２９は、支持脚部５を、図１に示すようにＸ字形に開脚して、被処理材を載置し、ワックス塗布等の作業を行うに際して、作業台１の高さと平行度を適正に確保するための、バランス調節部９と位置調節部１０についての他の例について説明する図である。【００９８】
図２９（Ａ）は、バランス調節連結部９ａと、バランス調節台座９ｂと、バランス調節連結軸部９ｃとからなるバランス調節部９の部分斜視図である。また、バランス調節台座９ｂは、位置調節部材１０ａの端部に配置されるバランス調節連結軸部９ｃを中心に振り子のように揺動が可能に軸支されている。図２９（Ｂ）は、図２９（Ａ）のＸ―Ｘ’の断面図である。バランス調節台座９ｂの底部には、表面を凹凸にした弾性部材からなるすべり止め部材９ｄが設けられていて、作業台１での作業時に、作業台１が移動したりしないように安定させている。【００９９】
支持脚部５の端部の位置調節部１０は、ほぼ円柱状の位置調節部材１０ａと、支持脚部５とから構成され、位置調節部材１０ａの外周部には外側位置設定部１０ｂ例えば雄ネジ山部とが設けられ、支持脚部５の端部には円柱状の凹部が設けられ、位置調節部材１０ａがその凹部に挿入可能とされている。そして、その凹部の内壁に設けられた内側位置設定部１０ｃ例えば雌ネジ山部に外側位置設定部１０ｂがネジ係合する構成とされている。高さの変更・調節は、位置調節部材１０ａを回転させることにより行われる。なお、上述のネジ込方法の代わりにピンで止めたり、ラチェットのような構造としたりしてもよい。【０１００】
図３０は、位置調節部１０とバランス調節部９の、さらに他の２つの例を示す側断面図である。図３０（Ａ）は、一方の例を示す図で、バランス調節部９は、図２９に示すものと同様なバランス調節台座９ｂと、バランス調節台座９ｂの中央の凹部内側に設けられた内側微調節部９ｅ、例えば雌ネジ山部と、位置調節部１０の凹部、すなわち円錐形と球状の各凹部が合体した空間となる球保持隙間部９ｊに円錐形の球保持嵌め込み部材９ｉで嵌め込み保持される、球状バランス部材とから主に構成される。球状バランス部材は、球状の球状バランス調節部９ｇと、その球状バランス調節部９ｇの一部から径方向外方に突出するように設けられたバランス調節軸部９ｈとから構成され、バランス調節軸部９ｈの先端には外側微調節部９ｆ、例えば雄ネジ山部が設けられている。球状バランス調節部９ｇは、球保持嵌め込み部９ｉを嵌め込むことにより、位置調節部１０から外れないように保持されて、球状空間となる球保持隙間部９ｊの中で揺動する。その結果、バランス調節軸部９ｈが振り子状に揺動されてバランスを調節する。なお、バランス調節部９は、他の公知の装置を採用しても良い。【０１０１】
また、図３０（Ｂ）は、図３０（Ａ）とほとんど同様な構造を示しているが、異なる点は、バランス調節部９の接地側に、止め具部材挿入穴３ｄ４を設け、短足型吸着部材３ｄｂの吸着部材止め部材３ｄ３が取り付け、取り外し可能に取り付けられている点である。この構成の場合、床面がつるつるしている場所であっても、吸盤部３ｄ１が吸着することによりしっかり固定できるので、作業を安心して行うことができる。なお、短足型吸着部材３ｄｂの取り付けには、上述の嵌め込みの他に、ねじ込みなどを用いることもできる。なお、図３０（Ｂ）では、分かりやすくするため、短足型吸着部材３ｄｂのつまみ３ｄ２の図示を省略してある。【０１０２】
図３１（Ａ）は、収納袋１ａを、上述の支持脚部５、５Ａ、５Ｂ、５Ｃに加えて後述する支持脚部５Ｄ、５Ｅ、５Ｆ、５Ｇ、５Ｈ、５Ｋに係留させる固定リング１３を示す斜視図である。支持脚部５（図示せず）は、上述の図２４で示した収納袋１ａに設けられた脚穴部１２を通り、その脚穴部１２に取り付けられた固定リング１３によって、収納袋１ａを係留する。この結果、収納袋１ａは、支持脚部５からずれないように固定される。図３１（Ｂ）は、図３１（Ａ）のＸ−Ｘ’での断面図である。この固定リング１３は、作業中のワックスの削り滓等がこぼれないように、支持脚部５と密着する材質が適している。したがって、ラテックス、ゴムあるいは弾性のあるプラスチックスが好ましい。【０１０３】
図３２は、収納容器部２を説明するための図で、３つの例を示している。各例とも、収納袋１ａに固定された収納容器部２は、円筒状の収集管部２ａと有底筒状で容器の形状をした収集受部２ｂとで構成され、この収集受部２ｂは、収集管部２ａに取り付け、取り外し可能に構成されている。なお、収納容器部２は、収納袋１ａの底部１ｂに配置されているため、ワックスの削り滓等を集めやすくなっている。このため、載置台３（図示せず）の位置は、収納袋１ａの大きさが、被処理材がすっぽり入って、収納袋１ａと被処理材との間隔が充分確保できるような余裕のある長さおよび幅の場合は、収納袋１ａの上端部の側面部１ｃの水平面と同じか、その水平面より下になるようにしても良い。なお、収納容器部２は、円筒形で図示してあるが、収納袋１ａを損傷しないように尖ったところがないように角が丸くしてある取り外し可能な角形、あるいは楕円形等であっても差し支えない。【０１０４】
図３２（Ａ）は、第１の例を示し、収納容器部２が収納袋１ａに取り付けられた時の斜視断面図である。図３２（Ａ）では、収集管部２ａに係止凹部２ｃを設けてあり、収集受部２ｂに設けられた係止凸部２ｄと嵌合して嵌め込み固定される。なお、この凹凸は、それぞれ逆にして設けても良い。この収集管部２ａおよび収集受部２ｂは、支持脚部５を閉じたときは、収納袋１ａにぶら下がり、収納袋１ａに接触することとなるので、収納袋１ａを破損しないように、角張ったところがなく、またゴムや弾性を有する軟質の材料を用いるのが好ましい。【０１０５】
図３２（Ｂ）は、第２の例を示し、収集受部２ｂに取換用ゴミ袋２ｅを嵌めこんだ状態を示す断面図である。この例では、収集されたワックスの削り滓等を、この取換用ゴミ袋２ｅに集めて一括廃棄できるので、後片付けが容易にできる。図３２（Ｃ）、（Ｄ）は、第３の例を示す斜視図で、収集管部２ａの壁面に設けられたカギ状の切欠き部２ｇに、収集受部２ｂの壁面内周部分に設けられた嵌めこみ突起部２ｆが嵌めこまれて、収納容器部２が構成されることとなる。なお、収集管部２ａと収集受部２ｂの嵌め合わせには、ネジを利用しても良い。また、収納容器部２は、袋状にして、マジックテープまたはボタンやフック等で収納袋１ａに取り付け、取り外し可能に構成しても良い。【０１０６】
図３３（Ａ）は、収納容器部２の第１変形例である収納容器部２Ａを示す斜視図である。開口収集部２ｋは、収納袋１ａ（図示せず）の底部１ｂに取り付けられ、取り換え用ゴミ袋２ｅに、ワックス等の削り滓等が収集される。すなわち、図３３（Ｂ）の部分側面図で示すように、収納容器部２Ａは、収納袋１ａの底部１ｂに取り付けられた開口収集部２ｋと、開口収集部２ｋの底部に突出し、雄ネジが設けられかつワックスの削り滓等が通過する挿通穴２ｍを有する収納容器嵌め合い部材２ｊと、収納容器嵌め合い部材２ｊのねじ切りされた部分とかみ合う雌ネジが設けられている外側収納容器嵌め合い部材２ｈと、取り換え用ゴミ袋２ｅとで構成される。【０１０７】
この取り換え用ゴミ袋２ｅは、開口部分が外側収納容器嵌め合い部材２ｈの中を通り抜けて開口され、その開口部分から収納容器嵌め合い部材２ｊに一緒に嵌め込まれる。この取り換え用ゴミ袋２ｅは使い捨てのため、取り換え用ゴミ袋２ｅを用いることにより装置が簡単な構造になる。また、不使用時には、開口収集部２ｋに内側から蓋をする様な部材を別に設けるようにして、収納袋１ａの内部に挿通穴２ｍから埃や雨水が浸入してくるのを防止すると良い。なお、開口収集部２ｋに設けられるような蓋については、上述および後述の各作業台の収納容器部２に類似の蓋とすることができる。すなわち、作業台の移動等の必要が生じた場合、収納容器部２に蓋をすることにより、ワックスの削り滓等の移動による飛散を防止することが可能となる。なお、収納容器嵌め合い部材２ｊと、外側収納容器嵌め合い部材２ｈとをネジで嵌め合うようにしてあるが、上述の図３２に示すような構成を用いても良い。なお、収納袋１ａに設ける収納容器部２の個数は、複数個任意に設けることができる。【０１０８】
図３４は、本発明の第６の実施の形態に係るワックス塗布作業台としての作業台１Ｅを示している。基本的な構造は、実施の形態１の作業台１と同じであるので、異なる部分のみ説明する。なお、説明を分かりやすくするため、過剰開脚防止装置８の図示は省略してある。この実施の形態に係る作業台１Ｅは、支持脚部の第４変形例である支持脚部５Ｄの支持脚材５ａａにパイプ材を用いて、湾曲部７０を設けるようにしてある。この構造は、円形のパイプ材を使用するのに好ましい。【０１０９】
図３４（Ａ）は、支持脚部５Ｄの主要な部分である支持脚材５ａａを組み合わせたときの様子を示す斜視図である。なお、後に図示するように、過剰開脚防止装置８とは別に、支持脚部５Ｄを閉じた際に支持脚部５Ｄが開くことがないよう、脚開閉軸部６より上方の位置、例えば載置台３、３を図３４（Ｃ）に示すチェーンのような止め具８ｂで止めるようにしておくと、より確実に閉じた状態を維持することができる。図３４（Ｂ）は、支持脚部５Ｄを構成する曲線型をした１本の支持脚５ａａを示している。この曲線型をした支持脚５ａａを２本用いることにより、湾曲部７０を有する１つのＸ字型部材ができる。これを二組用いることで、載置台３を取り付け可能な支持脚部５Ｄが完成する。この湾曲部７０を有する二組のＸ字型部材からなる支持脚部５Ｄは、脚開閉軸部６で回転可能に軸支されている。【０１１０】
図３４（Ｃ）は、支持脚部５Ｄを閉じたところを示す側面概念図である。回転アーム４は、横に開いたままであるが、収納容器部２が湾曲部７０にぴったりと納まっている様子を示している。この閉じた状態を維持するために、上述したように載置台３，３に止め具８ｂ、例えばチェーンを用いて図１の支持脚部５の過剰開脚防止装置８に類似の働きを持たせると良い。また、回転アーム４は、矢印で示す方向に自由に回転可能となっているので、必要に応じて下方に下げたり、あるいは上方に上げたりして収納するようにすると良い。図３４（Ｄ）は、回転アーム４を上方に上げて垂直に立て、作業台１Ｅを折りたたみ片付けが可能となるようにした場合の例を示す側面概念図である。このようにすると、片づけたときの形がコンパクトとなって、片付け後の収納場所が小さくてすむこととなる。さらに、持ち運びにも都合がよくなる。【０１１１】
図３５は、第５変形例である支持脚部５Ｅ示す側面図である。この支持脚部５Ｅは、上述の支持脚部５Ｄの変形であるので、異なるところのみ説明する。すなわち、支持脚部５Ｅの主要な部分である支持脚材５ａａの接地側の端部は、バランス調節部９を省略し、その代わりに支持脚材５ａａが湾曲部７０で外側になるよう曲げられ、直接接地するように水平接地部５０１を設けてある。これにより、水平接地部５０１の設置面積が大きくなり、安定して設置させることができる。さらに、過開脚防止具８を設けて、必要以上に開脚するのを防止するような構成としてある。また、支持脚材５ａａの上方端部、すなわち載置台３が支持される側も、湾曲部７０で外側になるよう曲げられ、水平支持部５０２となっていて、載置台３は、回転軸部７（図示せず）で軸支されるようになっている。このような構成にすると、湾曲部７０で外側になるように曲げられているので、載置台３，３の間隔が広がり、被処理材を安定して置くことができる。さらに、作業台の部品が少なくなり、作りやすくなる。【０１１２】
図３６は、本発明の第７の実施の形態に係るワックス塗布作業台としての作業台１Ｆについて説明する図である。【０１１３】
図３６（Ａ）は、ワックス塗布作業台１Ｆの平面図である。基本的な構造は、実施の形態１と同じであるので異なるところのみについて説明する。すなわち、支持脚部の第６変形例となる支持脚部５Ｆ（図３６（Ｂ）参照）と、収納袋１ａの側面部１ｃを保持する構成が異なっている。この第７の実施の形態では、図３６（Ａ）に示すように、支持脚部５Ｆが通り抜ける脚穴部１２が収納袋１ａの長手方向の左右に一つずつ設けられている。この左右一対の脚穴部１２は、支持脚部５Ｆに対して、リング状の固定リング１３を介して緊着する。すなわち、脚穴部１２には、固定リング１３が取り付けられ、支持脚部５Ｆが通過する穴は、その固定リング１３で囲まれた通過穴に該当することとなる。支持脚部５Ｆは、幅広の状態で載置台３と結合・固定されている。これにより、載置台３をがっしりとした安定状態に維持しやすくなる。また、図示しないが、回転押さえネジ部８０は、収納袋１ａの側面部１ｃの外側から収納袋１ａともども回転軸７ｃにねじ込まれて、収納袋１ａを支持するようになっているので、構造が簡単になり部品点数も少なくなり、扱いやすくなる。【０１１４】
さらに、回転押えネジ部８０は、ネジ構造であることから、回転押さえネジ部８０の締め付け具合で回転アーム４の回転角を適宜調整したり制御したりすることができる構造にもなっている。また、支持脚部５Ｆが収納袋１ａの底部１ｂを突き抜けて載置台３に嵌め込まれているので、収納袋１ａが支持されることとなり、収納袋１ａのたるみ防止にもなっている。このような支持脚部５Ｆの構成は、各実施の形態の作業台１〜１Ｆおよび作業台１Ｇ〜１Ｎ（後述図示）等の支持脚部としても利用できる。なお、収納袋１ａの側面外側より回転押えネジ部８０を設けた例を示したが、図４に示すような、各種たるみ防止部材を用いた構成も利用できる。【０１１５】
図３６（Ｂ）は、上述の各作業台に用いられる支持脚としての第６変形例となる支持脚部５Ｆを示す斜視図である。支持脚部５Ｆの主要な部分である湾曲した二枚の板状の支持脚材５ａａを組み合わせて支持脚部５Ｆが構成されている。この支持脚材５ａａは、接地側と、載置台３と結合する側とが幅広となり、中央部がくびれた形状としてある。この二枚の支持脚材５ａａには、ほぼ中央部に脚開閉凹部（かみ合わせ部）５ａが設けられ、その脚開閉凹部（かみ合わせ部）５ａでかみ合って、脚開閉軸部６により回転可能となるよう軸支されている。また、支持脚材５ａａの設置側には、過剰開脚防止装置８が設けられている。【０１１６】
支持脚材５ａａの接地側は、開脚切り込み部５ａ１を設けて、二つ割りにすることにより接地の幅を大きくし、併せて設置面積を小さくすることにより接地圧力を大きくして、作業台１Ｆを設置したときに安定化が図れるようにしてある。開脚切込み部５ａ１で二つ割りされた支持脚材５ａａの先端には、バランス調節部９が設けられ、位置の調整ができるようにしてある。なお、この支持脚部５Ｆは、図示してないが、脚開閉軸部６で、上下の部材が嵌め込まれるようにして、上下二つに分割できるようにしても良い。このようにすると、折りたたむときに小さな部品に分割できるので、収納しやすくなる。【０１１７】
図３７は、本発明の第８の実施の形態に係るワックス塗布作業台としての作業台１Ｇを説明するための平面図である。上述の各作業台とことなる点は、載置台３および回転アーム４と、第７変形例となる支持脚部５Ｇとを取り外し可能としたものである。【０１１８】
図３７（Ａ）で示す作業台１Ｇは、他の実施の形態と同様に載置台３に回転アーム４が回転軸部７の回転軸７ｃで軸支されている。また、載置台３には、支持脚部５Ｇの端部に嵌合凸部９０ｃが設けられた嵌め込み端部９０ａと嵌め込み、嵌合される嵌め込み受部９０ｂが設けられている。嵌め込み受部９０ｂには、嵌合凹部９０ｄが設けられており、嵌合凸部９０ｃと嵌合して一体化される。なお、凹部、凸部は逆に設けてもよい。【０１１９】
図３７（Ｂ）は、支持脚部としての第７変形例となる支持脚部５Ｇを示す平面図で、かつ、支持脚部５Ｇが、折りたたまれている様子を示す平面図である。支持脚部５Ｇの主要部分である１対の支持脚材５ａａは、脚開閉軸部６で回転されて、一本の棒状となる。もう一対の支持脚材５ａａも同様の構成とされている。このように、載置台３と支持脚部５Ｇと、図示していないが収納袋１ａとを別々に分けて、作業終了後折りたたみ収納できるので、保管場所が小さくて済み、また取り出しや収納時の運搬が容易である。【０１２０】
図３８は、本発明の第９の実施の形態に係るワックス塗布作業台としての作業台１Ｈを示す側面図である。この作業台１Ｈが上述の各作業台と異なる点は、弧状をしている弧状回転アーム４４が、収納袋１ａを支えるように設けられている点である。以下相違点についてのみ説明することとする。【０１２１】
すなわち、弧状回転アーム４４は、支持脚部５の脚開閉軸部６の上方で載置台３寄りに、係止回転穴ピン４４ａと、弧状回転アーム４４の支持脚側の端部に設けられた複数のアーム回転ピン穴４４ｂとで支持脚部５に支持されるようになっている。弧状回転アーム４４は、係止回転ピン４４ａがアーム回転ピン穴４４ｂおよび支持脚部５の係止穴に挿通されると適度な角度に回転したり、係止したりするような構成となっていて、例えば係止回転ピン４４ａをアーム回転ピン穴４４ｂおよび支持脚部５の係止穴にねじ込むことで軸支される。脚開閉軸部６の上方の支持脚部５，５間は、弧状回転アーム４４が設けられていないので、収納袋１ａの底部１ｂは露出している。その底部１ｂのほぼ中心部に収納容器部２が設けられている。なお、収納袋１ａの側面部１ｃは、図示してないが図４（Ｃ）で示したようなたるみ防止部材を設けても良いし、また図３６（Ａ）に示すように回転ネジ押さえ部８０を設けるようにしても良い。このように弧状回転アーム４４を設けると、収納袋１ａの底部１ｂが傷ついたり、破けたりすることを防止することができる。なお、収納袋１ａの側面部１ｃには、図４（Ｃ）に示すような構成を設けても良い。【０１２２】
図３９は、本発明の第１０の実施の形態に係るワックス塗布作業台としての作業台１Ｊを説明する図である。作業台１Ｊは、二つ折り可能な据置型載置台３５ａと、据置型載置台３５ａの長尺方向の側端部にそれぞれ設けられているＬ字型回転アーム３５ａ１と、コの字型をしている第８変形例となる支持脚部５Ｈとしての一体型支持脚材５１と、Ｌ字型回転アーム３５ａ１で支持される収納容器部２の付いた収納袋１ａとで構成されている。なお、過剰開脚防止装置８は、図示しないが公知の手段が用いられる。【０１２３】
図３９（Ａ）は、作業台１Ｊの収納袋１ａを省略した骨格部分を示す斜視図である。図１４で示す載置台１Ｂの板状載置台３５と類似している据置型載置台３５ａが用いられている。折り曲げ部３６で、据置型載置台３５ａの側部に設けられた折り曲げ金具３６ａを介して矢印方向に二つ折りが可能となっている。Ｌ字型回転アーム３５ａ１は、短い一方の片が据置型載置台３５ａの側部にアーム回転ピン３５ａ２で、矢印方向に回転したり、適宜な角度に係止したりするように支持されている。【０１２４】
図３９（Ｂ）は、図３９（Ａ）の側面図で、収納袋１ａと収納容器部２が設けられている様子を示している。Ｌ字型回転アーム３５ａ１の他方の片（収納袋を支持する側）は、据置型載置台３５ａより下方に位置する様になっている。上方になっていると、ワックス塗布等の作業時に収納袋１ａが、作業に支障をきたす恐れがあるので、それを防止するためである。また、収納袋１ａの底部１ｂは、図示しないが、上述の図２６に示す構成を応用して、一方の一体型支持脚材５１に配置される収納袋固定リング１３、１３の向かい合う側にそれぞれ切り込みが設けられ、そこから固定具１ｇで開閉できるような構成とされている。他方の一体型支持脚材５１も同様な構成とされている。したがって、収納袋１ａを取り外すときは、このそれぞれの固定具１ｇを開けばよい。なお、このような構成にすると、板状載置台３５がスノコのような形状であっても、ワックスの削り滓等の飛散を防止することができる。【０１２５】
図３９（Ｃ）は、分かりやすくするため、便宜的に収納袋１ａは、点線で示してあるが、作業終了時に作業台１Ｊの一体型支持脚材５１を折りたたんだときの裏側から見た平面図で、据置型載置台３５ａと一体型支持脚部５１とが、ほぼ水平な形となって折りたたまれている。なお、一体型支持脚材５１は、内側から外側に向けて折りたたむように図示されているが、内側に向けて折りたたむように構成しても良い。また、図示してないが、一体型支持脚材５１は、作業時に開脚されたとき、図３９（Ｂ）で示したような形状となり、その一体型支持脚材５１には、その開脚された形状が崩れたり、変形したりしてワックス塗布等の作業に差し支えないように開脚状態を維持・固定する公知の手段が設けられている。折り曲げ部３６で二つ折りすると、折り曲げたときに見える平面は、折り曲げ部３６の片側のみとなる。この結果、たたんだときは、作業台１Ｊは、半分の大きさになる。【０１２６】
また、板状載置台３５が一枚の板状のときは、板状載置台３５の裏面に相当する収納袋１ａの底部１ｂの部分は、ワックス等の削り滓が飛散してくることは極めて少ない。したがって、収納袋１ａの底部１ｂに支持脚通し穴５１ａを設け、その支持脚通し穴５１ａの縁の部分にマジックテープや磁石等の固定部材５１ｂを設ける。また、板状載置台３５の裏面には、収納袋１ａ側の固定部材５１ｂと対称となる位置に、収納袋１ａ側の固定部材５１ｂと合体、係合する固定部材５１ｂを設ける。このような構成にすると、清掃時に収納袋１ａの表面積が小さくて済むとともに、収納袋１ａだけを簡単に取り外すことができる。なお、マジックテープや磁石等を用いる代わりに、ネジ等で固定しても良い。【０１２７】
また、図３９（Ｄ）に示すように、Ｌ字型回転アーム３５ａ１の代わりに、端部に洗濯挟みの様の挟み部材３５ａ４有する取り換え用アーム３５ａ３を取り付けるようにして、Ｌ字型回転アーム３５ａ１の代わりにしても良い。このようにすると、簡単に取り換えができるので、回転アームの形状を必要とする種々な形状とすることができるようになる。したがって、使い勝手が向上する。なお、図１４に示す載置台１Ｂと同様に、図示しないが吸着部材を設けたり、スノコ状としたりしても良い。【０１２８】
図４０は、本発明の第１１の実施の形態に係るワックス塗布作業台としての作業台１Ｋを説明するための図である。支持脚部５Ｄは、図３４の作業台１Ｅに使用しているものと類似しているものを用いている。異なっているのは、収納袋１ａに相当する機能を有する折りたたみ式収納箱２００を用いている点である。したがって、折りたたみ式収納箱２００を中心に説明する。なお、説明を分かりやすくするために、過剰開脚防止装置８の図示は省略してある。【０１２９】
図４０（Ａ）の斜視図で示すように、折りたたみ式収納箱２００は、中央部の底浅部２０１と、収納容器部２が底部に設けられた両側の底深部２０２と、底浅部２０１のほぼ中央で二つ折りを可能とする折り曲げ係止ピン２０３とで構成されている。折りたたみ式収納箱２００の側面形状は、折り曲げ係止ピン２０３を挟んで左右同じような側面形状をしている。また、折りたたみ式収納箱２００が開いているときは、底浅部２０１の深さが底深部２０２より浅い構成となっているので、側面形状は、「凹」の字を逆さまにしたような形状となる。収納容器部２は、左右の底深部２０２の底面に設けられている。また、載置台３は、底深部２０２側に配置され、折りたたみ式収納箱２００の上面よりはみ出さないように収納箱係止ピン２０４で係止されている。【０１３０】
図４０（Ｂ）は、作業台１Ｋを折りたたんだ様子を示す側面図である。折りたたみ式収納箱２００は、折り曲げ係止ピン２０３で折り曲げられて合体した形状となっている。また、載置台３は、底深部２０２の内側に設けられ、収納箱係止ピン２０４によって、支持脚部５Ｄとともに回転軸部７で支持され、収納箱係止ピン２０４を外すことによって、取り外しが可能となっている。なお、収納容器部２は、取り外されたものとして図示は省略されている。また、取り外した折りたたみ式収納箱２００は、図４０（Ｃ）の側面図で示すように、底深部２０２には、係止ピン挿入穴２０２ａが設けられていて、上述の収納箱係止ピン２０４で載置台３と折りたたみ式収納箱２００は結合するようになっている。また、底浅部２０１，２０１と底深部２０２、２０２は、相互に箱に蓋をしたような形状となって折りたたまれている。なお、これらの折りたたみ式収納箱２００は、各面を板状の部材で組み合わせて形成するのが好ましい。さらに、折りたたみ式収納箱２００の各コーナーを、棒状の構造部材で骨組みし、平面部は軟質のシートで構成しても良い。さらになお、支持脚部５Ｄの代わりに、他の支持脚部を用いても良い。【０１３１】
図４１は、本発明の第１２の実施の形態に係るワックス塗布作業台としての作業台１Ｌを説明するための側面図である。この作業台１Ｌが他の作業台と異なる点は、図３９で用いられるＬ字型回転アーム３５ａ１が、逆向きに回転軸部７に支持脚部５の端部とともに支持されていることである。すなわち、Ｌ字型回転アーム３５ａ１の収納袋１ａを端部で支持する一方の片は、水平にすると載置台３、すなわち被処理材としての例えばスノーボード２０より上方に位置するようになる。このため、収納袋１ａの側面部１ｃの上端部も、スノーボード２０より上方に位置している。ワックス塗布等の作業に当たっては、このＬ字型回転アーム３５ａ１を矢印方向に回転させることにより、簡単な操作で収納袋１ａの側面部１ｃの高さを調整することができ、削り滓を飛散させることが少ない、安全な作業を行うことが可能となる。【０１３２】
図４２は、本発明の第１３の実施の形態に係るワックス塗布作業台としての作業台１Ｍを説明するための図である。この作業台が上述の各作業台と異なるのは、上述の各支持脚部の代わりに、支持脚部の第９変形例となる脚立型支持脚部５００を用いていることである。【０１３３】
図４２（Ａ）は、作業台１Ｍの側面図で、複数の脚立型支持脚部５００のそれぞれの上部には、角形載置台３００が設けてある。被処理材（図示せず）は、この角形載置台３００を橋渡しする様に載置されて、ワックス塗布等の作業が行われる。回転アーム４は、脚立型支持脚部５００の上部中央に、アーム回転ピン３５ａ２で回転可能で、また適当な角度に調整できるように軸支されている。さらに、２つの脚立型支持脚部５００は、それぞれが別個となっていて、使用時に２つを縦に並べて配置して作業台の機能を持たせる様にしている。また、各脚立型支持脚部５００には、過剰開脚防止装置８が設けられて、脚立型支持脚部５００を安定化させている。収納袋１ａは、２つの、脚立型支持脚部５００の中間に収納容器部２が配置されるような構成になっている。なお、角形載置台３００は、被処理材が傷つかない様に、角が丸くなっているものを用いるのが好ましい。なお、角形載置台３００の上面に、上述の各吸着部材を適宜設けて被処理材を載置、固定しても良い。【０１３４】
図４２（Ｂ）は、図４２（Ａ）に用いられる収納袋１ａの平面図で、中央の収納容器部２を挟んで、脚穴部１２が、左右に各４個設けられている。この脚穴部１２は、固定リング１３が設けられるが、図示を省略してある。収納袋１ａの両端部に折り返し部１００を設けて、回転アーム４で支持するようにしてある。このような構成は、個人用として使用するよりは、業務用として使用するのに適している。【０１３５】
図４３は、第１４の実施の形態に係るワックス塗布作業台としての作業台１Ｎを説明するための図である。上述の各作業台と異なるのは、収納袋１ａの上面の開口している部分に、カバーを設けてある点である。なお、説明を分かりやすくするため、過剰開脚防止装置８およびバランス調節部９の図示は省略してある。【０１３６】
図４３（Ａ）は、作業台１Ｎの側面図である。側部収納容器カバー４００ａは、角形のシート状で、側面部１ｃの上端部から収納袋１ａの長手方向の外端側に、ほぼ回転アーム４の長さに相当する幅を持って垂れ下げられている。この側部収納袋カバー４００ａは、作業を行わないとき、矢印で示したように持ち上げられ、収納袋１ａの開口面の一部を覆うようにしてある。また、図４３（Ｂ）は、作業台１Ｎの収納袋カバーの取り付け位置が異なる他の例を示す側面図である。長手収納袋カバー４００ｂは、角形のシート状で回転アーム保持部材４ａ側の端面に、収納袋１ａの開口部全面を覆いつくすような幅と長さを有して設けられている。作業を行わないときは、点線で示した矢印の方向に長手収納袋カバー４００ｂを広げて、蓋をしておくことにより、削り滓の飛散防止の役割を持たせることができる。さらに、収納袋１ａの底部１ｂと長手収納袋カバー４００ｂとに磁石１ｈを複数設け、垂れ下がった長手収納袋カバー４００ｂが作業の障害にならないように留めることが好ましい。さらに、長手収納袋カバー４００ｂの先端部と収納袋１ａの端部の結合部分に他の磁石１ｈを設けて、長手収納袋カバー４００ｂの垂れ下がりを防止することが好ましい。【０１３７】
ワックス等の削り滓は、極めて軽く一寸した風で飛び散りやすい性質を持っている。このため、作業と作業との合間に収納袋１ａに蓋をすることにより、周囲の環境を汚染させることなく、また外部から水滴や塵埃等が付着することを防止することができる。なお、長手収納袋カバー４００ｂは、一方の端部から全面を被覆する様に図示されているが、半分の長さのものを両側に設置し、両側の端部から被覆するようにしても良い。【０１３８】
本発明の実施の形態に係るワックス塗布作業台１、１Ａ、１Ｂ、１Ｃ、１Ｄ、１Ｅ、１Ｆ、１Ｇ、１Ｈ、１Ｊ、１Ｋ、１Ｌ、１Ｍ、１Ｎは、寒冷な場所で使用されることが多いので、使用する材料は、低温時にも硬化して簡単に破損することがないものを選択する必要がある。収納袋１ａにプラスチックスのシートを用いる場合、低温で簡単に割れたり、破れたりすることがあるので注意を要する。そのためには、熱可塑性の軟質のプラスチックス、例えばポリエチレン、ポリプロピレン、ポリ塩化ビニル、ナイロン、ポリイソブチレン、ポリスチレン、ポリ酢酸ビニル、ポリビニルアルコール、ポリアクリロニトリル、ポリカーボネート、ポリアセタール、ＰＥＴなどを使用するのが好ましい。【０１３９】
また、収納袋１ａを布製とした場合、その表面にコーティングする材料としては、ポリウレタンエラストマー、シリコンゴム、ポリイソプレン、塩化ビニル、スチレン−ブタジェンゴム、ポリブタジェンゴム、天然ゴムなどのエラストマーが好ましい。また、各作業台の、上述した以外で被処理材が直接接触する部位には、必要に応じ被処理材に傷がつかないように、収納袋１ａと同様なコーティング処理などが施されるのが好ましい。【０１４０】
また、収納袋１ａを、底部１ｂと、両側に側面部１ｃ、１ｃを有するものとしたが、側面部１ｃ、１ｃの一方または両方を有さないものとしたり、その他の形状としたりしても良い。さらに、各実施の形態では、収納容器部２としては、収納袋１ａの中央に１つだけ設置するものを主として説明したが、複数設置しても良い。また、収納容器部２を収納袋１ａと別体に設けるのではなく、収納袋１ａの一部を利用するようにしても良い。例えば、収納袋１ａの底部１を収納容器部として利用するようにしても良い。【０１４１】
また、それぞれがＸ字状とされ開閉可能に構成されている一対の支持脚部５等は、Ｘ字状とせず、「人」状としたり、他の形状としたりしても良く、さらに、開閉可能ではなく固定構造としても良い。また、回転アーム４が、載置台３に回転可能に取り付けられているが、回転アーム４の代わりに、釣り竿のように何本も繋いだり、伸び縮みする部材を載置台３に取り付けたりしても良い。さらに、収納袋１ａは、回転アーム４の先端で支持されていたが、回転アーム４の中央付近で支持されるようにしても良い。【０１４２】
各支持脚部５等や、載置台３、回転アーム４、収納容器２等には、木材や強化プラスチックス、あるいは軽金属例えばアルミ合金材などを使用するのが好ましい。これにより、軽量化が図れて持ち運びに適したものとなる。【０１４３】
また、この作業台１、１Ａ、１Ｂ、１Ｃ、１Ｄ、１Ｅ、１Ｆ、１Ｇ、１Ｈ、１Ｊ、１Ｋ、１Ｌ、１Ｍ、１Ｎは、スキー板やスノーボード板等のスポーツ用具のワックス塗布作業に好適であるが、スポーツ用具以外、例えば自動車部品へのワックス塗布作業にも使用できる。また、ワックス塗布作業ではなく、木材の削り取り（例えばカンかけ作業）等や、金属の磨き作業等にも使用できる。【０１４４】
なお、本発明の各構成は、本明細書に記載の実施の形態の他、適宜種々組み合わせが可能であり、よって本明細書記載の実施の形態のみに限定されるものではない。たとえば、載置台３は、軽金属や強化プラスチックスや木材等の軽量なものとするのが好ましいが、ゴムなどの弾性を有する部材としても良い。また、支持脚部５は、木製、プラスチックス製もしくは軽金属製のいずれかまたは複合材の中から適宜採用することができる。
【図１】
0004310340.tif 000002
【図２】
0004310340.tif 000003
【図３】
0004310340.tif 000004
【図４】
0004310340.tif 000005
【図５】
0004310340.tif 000006
【図６】
0004310340.tif 000007
【図７】
0004310340.tif 000008
【図８】
0004310340.tif 000009
【図９】
0004310340.tif 000010
【図１０】
0004310340.tif 000011
【図１１】
0004310340.tif 000012
【図１２】
0004310340.tif 000013
【図１３】
0004310340.tif 000014
【図１４】
0004310340.tif 000015
【図１５】
0004310340.tif 000016
【図１６】
0004310340.tif 000017
【図１７】
0004310340.tif 000018
【図１８】
0004310340.tif 000019
【図１９】
0004310340.tif 000020
【図２０】
0004310340.tif 000021
【図２１】
0004310340.tif 000022
【図２２】
0004310340.tif 000023
【図２３】
0004310340.tif 000024
【図２４】
0004310340.tif 000025
【図２５】
0004310340.tif 000026
【図２６】
0004310340.tif 000027
【図２７】
0004310340.tif 000028
【図２８】
0004310340.tif 000029
【図２９】
0004310340.tif 000030
【図３０】
0004310340.tif 000031
【図３１】
0004310340.tif 000032
【図３２】
0004310340.tif 000033
【図３３】
0004310340.tif 000034
【図３４】
0004310340.tif 000035
【図３５】
0004310340.tif 000036
【図３６】
0004310340.tif 000037
【図３７】
0004310340.tif 000038
【図３８】
0004310340.tif 000039
【図３９】
0004310340.tif 000040
【図４０】
0004310340.tif 000041
【図４１】
0004310340.tif 000042
【図４２】
0004310340.tif 000043
【図４３】
0004310340.tif 000044